(57)【特許請求の範囲】
【請求項１】
有底筒状をなし上面に略矩形の開口を有して内容物が収容される容器本体と、
前記容器本体の開口面輪郭を覆うように接続される枠体と、
前記開口の一辺に対応する位置で前記枠体とヒンジにより接続されて前記容器本体の開口を開閉する蓋体と、
を有し、
前記蓋体と前記枠体とを閉塞状態で係止する係止部がチャイルドプルーフとなる所定の距離だけ離間して２つ以上設けられ、
前記蓋体が閉塞状態であるとき、前記枠体の上端は前記蓋体の高さよりも高いことを特徴とする蓋付容器。
【請求項２】
前記係止部において、前記係止部の係止解除がそれぞれの係止部における互いに接近する方向への変形によってなされることを特徴とする請求項１記載の蓋付容器。
【請求項３】
前記係止部が、前記ヒンジにおける前記蓋体の回動軸線と直交する方向に延在する係止片を有することを特徴とする請求項１または２記載の蓋付容器。
【請求項４】
前記２つの係止部として、係止凸部を有する前記係止片が前記蓋体に設けられ、この係止凸部が係止する係止凹部が前記枠体に設けられることを特徴とする請求項３記載の蓋付容器。
【請求項５】
前記２つの係止部が、前記一辺と対向する他辺に対応する位置に設けられることを特徴とする請求項１から４のいずれか記載の蓋付容器。
【請求項６】
前記２つの係止部が、前記一辺と隣接する二つの辺にそれぞれ設けられることを特徴とする請求項１から４のいずれか記載の蓋付容器。
【請求項７】
前記枠体が、前記開口面に延在する前記容器本体のフランジに対して、該フランジを覆うように接続されるとともに、前記枠体縁部から離間した位置に前記フランジと接続する接続部が設けられることを特徴とする請求項１から６のいずれか記載の蓋付容器。
【請求項８】
前記接続部が、前記枠体の開口面における幅方向の略中央位置に設けられた掛合部とされることを特徴とする請求項７記載の蓋付容器。
【請求項９】
有底筒状をなし上面に略矩形の開口を有して内容物が収容される容器本体と、
前記容器本体の開口面輪郭を覆うように接続される枠体と、
前記開口の一辺に対応する位置で前記枠体とヒンジにより接続されて前記容器本体の開口を開閉する蓋体と、
を有し、
前記蓋体と前記枠体とを閉塞状態で係止する係止部がチャイルドプルーフとなる所定の距離だけ離間して２つ以上設けられ、
前記係止部が、前記ヒンジにおける前記蓋体の回動軸線と直交する方向に延在する係止片を有し、
前記２つの係止部として、係止凸部を有する前記係止片が前記蓋体に設けられ、この係止凸部が係止する係止凹部が前記枠体に設けられることを特徴とする蓋付容器。
【請求項１０】
有底筒状をなし上面に略矩形の開口を有して内容物が収容される容器本体と、
前記容器本体の開口面輪郭を覆うように接続される枠体と、
前記開口の一辺に対応する位置で前記枠体とヒンジにより接続されて前記容器本体の開口を開閉する蓋体と、
を有し、
前記蓋体と前記枠体とを閉塞状態で係止する係止部がチャイルドプルーフとなる所定の距離だけ離間して２つ以上設けられ、
前記枠体が、前記開口面に延在する前記容器本体のフランジに対して、該フランジを覆うように接続されるとともに、前記枠体縁部から離間した位置に前記フランジと接続する接続部が設けられ、
前記接続部が、前記枠体の開口面における幅方向の略中央位置に設けられた掛合部とされることを特徴とする蓋付容器。
【発明の詳細な説明】
【技術分野】
【０００１】
本発明は蓋付容器に関し、特に、医薬品、洗剤等を収納可能で、容易に開けることができるが、なおチャイルドプルーフ(child proof)である包装に用いて好適な技術に関する。
【背景技術】
【０００２】
従来、薬等の子供にとって危険な物の保管や収納は、開閉自在な箱に入れた場合は、子供の手の届かない高い場所や、鍵のついている抽斗等に保管されるのが一般的であった。しかし、必要な時には簡単に開閉できる構造であって欲しいのは取扱上の常識である。
一般に、子供は何でも口に入れることが多く、薬でも子供の手の届く所に置けば、その箱が開閉自在な構造であれば間違って子供が薬を誤飲、誤嚥してしまう可能性が非常に高かった。このような事態を防止するためのチャイルドプルーフに関する記載、特に、薬剤に関するものが、特許文献1に記載され、また、チャイルドプルーフとしての機能を有する容器の例が特許文献２に記載される。
【０００３】
また、最近、水溶性フィルム洗剤、即ち使用中に溶解する水溶性フィルムで被包された洗浄組成物が特許文献３に記載されるように知られている。水溶性フィルム洗剤はその外観がゼリー等の菓子類と似ているため、子供が誤飲してしまう可能性がある。幼児の誤飲、誤嚥は、健康に多大な影響を与える恐れがあることから、大きな社会問題となっている。予防策として、ロック機構付きの容器等に収容して販売することも考えられるが、洗剤などの日常的に使用するものであるため、あまりに開閉が煩雑であると、使用者が使用しなくなってしまう可能性がある。
【０００４】
また、水溶性フィルム洗剤以外、トイレ用洗剤、風呂洗浄用タブレット、など、誤飲を防止するための手段を必要とするトイレタリー商品が増加してきている。
同時に、これらのトイレタリー商品では、積み重ねた商品展示が可能で、輸送時における省空間性、所定の強度、一定の防湿性を有することが求められる。
【先行技術文献】
【特許文献】
【０００５】
【特許文献１】特表２０１２−５１７３８７号公報
【特許文献２】特開２００３−０５４５９９号公報
【特許文献３】特表２０１０−５０３５８６号公報
【発明の概要】
【発明が解決しようとする課題】
【０００６】
しかし、安全性を優先して過剰に複雑な構造であるとコストがかかりすぎ、高価な薬剤であればそのコスト負担が許容されたとしても、洗剤等の安価なものにそれだけのコスト負担は許容されない。
とはいえ、あまりに簡便で安価な構造であると、好奇心旺盛な子供がいろいろなところを叩いたり、転がしたりしているうちに容器が開いてしまう可能性もある。
【０００７】
そこで、子供には簡単に開けられない構造でありかつ、大人にとっては比較的簡単に開けられる保管収納用の容器であって安価に供給することができる構造の簡便な防湿性を有する収納用の容器に対する要求が高まっていた。
【０００８】
本発明は、上記の事情に鑑みてなされたもので、チャイルドプルーフを確実に実現しつつ安価に提供可能で、積載商品展示可能、輸送時における省空間性、所定の強度を有する蓋付容器を提供可能とするという目的を達成しようとするものである。
【課題を解決するための手段】
【０００９】
本発明の蓋付容器は、有底筒状をなし上面に略矩形の開口を有して内容物が収容される
容器本体と、
前記容器本体の開口面輪郭を覆うように接続される枠体と、
前記開口の一辺に対応する位置で前記枠体とヒンジにより接続されて前記容器本体の開口を開閉する蓋体と、
を有し、
前記蓋体と前記枠体とを閉塞状態で係止する係止部がチャイルドプルーフとなる所定の距離だけ離間して２つ以上設けられ、前記蓋体が閉塞状態であるとき、前記枠体の上端は前記蓋体の高さよりも高いにより上記課題を解決した。
本発明の蓋付容器は、前記係止部において、前記係止部の係止解除がそれぞれの係止部における互いに接近する方向への変形によってなされることができる。
本発明の蓋付容器は、前記係止部が、前記ヒンジにおける前記蓋体の回動軸線と直交する方向に延在する係止片を有することが好ましい。
本発明の蓋付容器は、前記２つの係止部として、係止凸部を有する前記係止片が前記蓋体に設けられ、この係止凸部が係止する係止凹部が前記枠体に設けられることができる。
本発明の蓋付容器は、前記２つの係止部が、前記一辺と対向する他辺に対応する位置に設けられることができる。
本発明の蓋付容器は、前記２つの係止部が、前記一辺と隣接する二つの辺にそれぞれ設けられることができる。
本発明の蓋付容器は、前記枠体が、前記開口面に延在する前記容器本体のフランジに対して、該フランジを覆うように接続されるとともに、前記枠体縁部から離間した位置に前記フランジと接続する接続部が設けられることができる。
本発明の蓋付容器は、前記接続部が、前記枠体の開口面における幅方向の略中央位置に設けられた掛合部とされることができる。
【００１０】
本発明の蓋付容器は、有底筒状をなし上面に略矩形の開口を有して内容物が収容される容器本体と、
前記容器本体の開口面輪郭を覆うように接続される枠体と、
前記開口の一辺に対応する位置で前記枠体とヒンジにより接続されて前記容器本体の開口を開閉する蓋体と、
を有し、
前記蓋体と前記枠体とを閉塞状態で係止する係止部がチャイルドプルーフとなる所定の距離だけ離間して２つ以上設けられることにより、具体的には、係止部の離間距離が、チャイルドプルーフとなるように子どもの手の大きさよりも大きく設定することで、手の寸法が小さな子どもが操作できないようにして、少なくとも２つの係止部の係止を同時に解除できないが、手の大きな大人は容易に係止を同時に解除することができるので、簡単な構造でチャイルドプルーフを実現するとともに、大人の日常使用には不便を来さないようにすることができる。
【００１１】
本発明の蓋付容器は、前記係止部において、前記係止部の係止解除がそれぞれの係止部における互いに接近する方向への変形によってなされることにより、少なくとも２つの係止部において同時に係止を解除するためには、これらの係止部を同時に互いに接近する方向へ変形させることが必要であり、例えば容器の落下など、一方向に衝撃がかかって、たとえ１つの係止部の係止が解除されても、もう１つの係止部において同時に係止が解除されることがないため、蓋体の閉塞状態を維持することができ、チャイルドプルーフを実現することができる。
【００１２】
本発明の蓋付容器は、前記係止部が、前記ヒンジにおける前記蓋体の回動軸線と直交する方向に延在する係止片を有することにより、係止部の係止を解除する際に係止片を変形させる方向が、ヒンジにおける前記蓋体の回動軸線と直交することで、係止片どうしを近接させるように摘む動作と、ヒンジの回転軸線周りに蓋体を回転させる動作という、２方向の動作を同時におこなわないと係止を解除できないため、チャイルドプルーフを実現することができる。
同時に、係止片が蓋付容器の前面から手前に突出するように設けられるか、係止片が蓋付容器の側面から上方に突出するように設けられることで、係止片どうしを近接させるという係止解除動作において、操作者の爪が容器本体側面等に当接しない状態でも操作できるため、爪の長い操作者が容易に開封操作をおこなうことができる。
【００１３】
本発明の蓋付容器は、前記２つの係止部として、係止凸部を有する前記係止片が前記蓋体に設けられ、この係止凸部が係止する係止凹部が前記枠体に設けられることにより、一体とされた枠体および蓋体を輸送する際に係止片が干渉することなくこれの一体とされた枠体および蓋体を積み重ねて省スペース化を図ることができる。また、枠体に後述する容器本体に接続する掛合部に対応する孔を設ける際に、係止凹部として貫通孔を設けることができる。
【００１４】
本発明の蓋付容器は、前記２つの係止部が、前記一辺と対向する他辺に対応する位置に設けられることにより、蓋体の開操作において、操作者が片手で一辺の２つの係止部を同時に近接するように押圧して変形することで係止を解除するとともに、この係止解除を維持した状態で蓋体をヒンジ周りに回転するように係止部を持つ手を移動させることで蓋体を開放することが容易にできる。
【００１５】
本発明の蓋付容器は、前記２つの係止部が、前記一辺と隣接する二つの辺にそれぞれ設けられることにより、により、蓋体の開操作において、操作者が片手で容器の２辺にある２つの係止部を同時に近接するように押圧して変形することで係止を解除するとともに、この係止解除を維持した状態で蓋体をヒンジ周りに回転するように係止部を持つ手を移動させることで蓋体を開放することが容易にできる。
【００１６】
本発明の蓋付容器は、前記枠体が、前記開口面に延在する前記容器本体のフランジに対して、該フランジを覆うように接続されるとともに、前記枠体縁部から離間した位置に前記フランジと接続する接続部が設けられることにより、枠体を容器本体から無理に離間させる方向に力が作用した場合でも、枠体の縁部と接続部とに対して同様に変形力が作用することがないため、枠体が大きく変形して、この枠体縁部がフランジから離間する方向に変形してしまった場合でも、接続部における接続は解除されることがなく、枠体および蓋体が容器本体から外れて容器の閉塞が解除されてしまうことを防止できる。
【００１７】
本発明の蓋付容器は、前記接続部が、前記枠体の開口面における幅方向の略中央位置に設けられた掛合部とされることにより、枠体縁部を容器本体のフランジから無理に離間させる方向に力が作用した場合でも、枠体の縁部よりも接続部に作用する変形力を減少させることができ、枠体の変形により掛合部の接続が解除されることがなく、枠体あるいは蓋体が用基本体から外れて容器の閉塞が解除されてしまうことを防止できる。
【発明の効果】
【００１８】
本発明によれば、チャイルドプルーフを確実に実現しつつ安価に提供可能で、積載商品展示可能、輸送時における省空間性、所定の強度を有する蓋付容器を提供可能とすることができるという効果を奏することが可能となる。
【図面の簡単な説明】
【００１９】
【図１】本発明に係る蓋付容器の第１実施形態を示す平面図である。
【図２】本発明に係る蓋付容器の第１実施形態を示す正面図である。
【図３】本発明に係る蓋付容器の第１実施形態を示す側面図である。
【図４】本発明に係る蓋付容器の第１実施形態における接続部付近を示す拡大断面図である。
【図５】本発明に係る蓋付容器の第１実施形態における開状態を示す平面図である。
【図６】本発明に係る蓋付容器の第１実施形態における蓋体および枠体の裏面側を示す斜視図である。
【図７】本発明に係る蓋付容器の第１実施形態における閉状態を示す斜視図である。
【図８】本発明に係る蓋付容器の第１実施形態における開動作を示す斜視図である。
【図９】本発明に係る蓋付容器の第１実施形態における開動作を示す斜視図である。
【図１０】本発明に係る蓋付容器の第１実施形態における開動作を示す斜視図である。
【図１１】本発明に係る蓋付容器の第１実施形態における開動作を示す斜視図である。
【図１２】蓋付容器における接続部を説明するための拡大断面図である。
【図１３】本発明に係る蓋付容器の第１実施形態における係止部を説明するための断面図である。
【図１４】本発明に係る蓋付容器の第２実施形態を示す平面図である。
【図１５】本発明に係る蓋付容器の第２実施形態を示す正面図である。
【図１６】本発明に係る蓋付容器の第２実施形態を示す側面図である。
【図１７】本発明に係る蓋付容器の第２実施形態を示す背面側斜視図である。
【図１８】本発明に係る蓋付容器の第２実施形態における係止部を示す拡大斜視図である。
【図１９】本発明に係る蓋付容器の第２実施形態における閉状態を示す斜視図である。
【図２０】本発明に係る蓋付容器の第２実施形態における開動作を示す斜視図である。
【図２１】本発明に係る蓋付容器の第２実施形態における開動作を示す平面図である。
【図２２】本発明に係る蓋付容器の第２実施形態における開動作を示す斜視図である。
【図２３】本発明に係る蓋付容器の第２実施形態における開動作を示す平面図である。
【図２４】本発明に係る蓋付容器の第３実施形態の蓋付容器を示す正面図である。
【図２５】本発明に係る蓋付容器の第３実施形態における蓋体および枠体の開状態を示す平面図である。
【図２６】本発明に係る蓋付容器の第３実施形態における蓋体および枠体の開状態を示す下面図である。
【図２７】本発明に係る蓋付容器の第３実施形態における蓋体および枠体の開状態を示す側面図である。
【図２８】本発明に係る蓋付容器の第３実施形態における蓋体および枠体の開状態を示す後面図である。
【図２９】本発明に係る蓋付容器の第３実施形態における蓋体および枠体の開状態を示す前面図である。
【図３０】本発明に係る蓋付容器の第３実施形態における係止部の閉状態を示す拡大前断面図である。
【図３１】本発明に係る蓋付容器の第３実施形態における係止部の閉状態を示す拡大前断面図である。
【図３２】本発明に係る蓋付容器の第３実施形態における係止部の閉状態を示す拡大前断面図である。
【図３３】図２５における係止部を示す拡大矢視図である。
【図３４】図２６における係止部を示す拡大矢視図である。
【図３５】図２６における傾斜面付近を示す拡大矢視図である。
【図３６】本発明に係る蓋付容器の第３実施形態における蓋体および枠体の積み重ね状態を示す前断面図である。
【発明を実施するための形態】
【００２０】
以下、本発明に係る蓋付容器の第１実施形態を、図面に基づいて説明する。
【００２１】
図１は、本実施形態における蓋付容器を示す平面図であり、図２は、本実施形態における蓋付容器を示す正面図であり、図３は、本実施形態における蓋付容器を示す側面図であり、図４は、本実施形態における蓋付容器における接続部を示す拡大断面図であり、図５は、本実施形態における蓋付容器の開状態を示す平面図であり、図６は、本実施形態における蓋体および枠体の裏面側を示す斜視図であり、図において、符号１０は、蓋付容器である。
【００２２】
本実施形態に係る蓋付容器１０は、図１〜図６に示すように、容器本体２０と、枠体３０と、ヒンジ４０と、蓋体５０と、係止部６０と、係止部７０と、を有する。これら容器本体２０、一体とされた枠体３０と蓋体５０等は、ポリプロピレン（ＰＰ）、アクリロニトリルスチレン（ＡＳ）、ポリエチレン（ＰＥ）、ポリスチレン（ＰＳ）、ポリカーボネート（ＰＣ）、塩化ビニル（ＰＶＣ）、ポリエチレンテレフタレート（ＰＥＴ）等、適宜内容収納物、強度、加工容易性等により選択することが可能である。
【００２３】
本実施形態に係る容器本体２０は、図１〜図６に示すように、略水平な底面２１と、その周囲に立設される前面２２と後面２３と右側面２４と左側面２５とを有して、内容物が収容される有底筒状の箱形状をなしている。
本実施形態に係る容器本体２０は、粉末洗剤、水溶性フィルム洗剤、洗浄用錠剤、サプリメント等のトイレタリー製品などを収容することができる。
【００２４】
容器本体２０は、前面２２と後面２３と右側面２４と左側面２５との上端によって略矩形とされる開口を形成するとともに、その上面位置に底面２１と平行な略水平方向に延在するように所定幅を有するフランジ２６が設けられ、このフランジ２６が、面一とされた前面２２と後面２３と右側面２４と左側面２５との上端より水平方向外側に突出するように周設されている。
【００２５】
枠体３０は、図１〜図６に示すように、容器本体２０の開口面輪郭を覆うように容器本体２０と接続されるもので、具体的には、フランジ２６の全周を上側から覆うように水平面に延在する略矩形輪郭の枠面部３１と、この枠面部３１の外周位置に略垂直方向に設けられた外周面部３２と、枠面部３１の内周側に略垂直方向に設けられた内周面部３３と、を有する。
枠体３０は、容器本体２０の開口後側となる一辺に対応する位置で左右方向水平位置に設けられたヒンジ４０によって蓋体５０と回動可能として接続されている。
【００２６】
ヒンジ４０は、図１〜図６に示すように、枠体３０から蓋体５０に向かう方向に延在する幅広の接続片４１において、ある一点を通る左右方向の直線部分の厚さが極めて小さく設定されてこの部分から構成材の可撓性により折り曲げ可能としたものである。
【００２７】
蓋体５０は、図１〜図６に示すように、容器本体２０の開口を開閉するものとされ、枠面部３１に対応する形状とされる枠面部５１と、内周面部３３に対応するように設けられた内周面部５３と、内周面部５３内側に延在する蓋面部５４とを有する。
蓋体５０は、ヒンジ４０を回動軸線として、枠体３０およびこの枠体３０と一体に掛合接続された容器本体２０に対して回動可能に接続されている。
枠面部５１は、蓋体５０の閉塞状態において、略水平状態に開口縁部を周回するとともに、その内周端には、内周面部５３が下方に向けて接続される。
枠面部５１の外周端には、蓋体５０の閉塞状態において、外周面部３２と略平行状態として枠面部３１の上面に当接する閉塞突条５２が下側に突出するように周設される。
【００２８】
蓋面部５４は、図１〜図６に示すように、蓋体５０の閉塞状態において、底面２１、フランジ２６、枠面部５１、および、枠面部３１とほぼ並行となり、容器本体２０の開口となる枠体３０の開口の全域を覆って閉塞する。蓋面部５４および内周面部５３は、平面視して底面２１と略同じ輪郭形状となるように設定されている。
蓋面部５４は、図１〜図６に示すように、内周面部５３により、枠面部５１と平行で、かつ、フランジ２６よりも底面２１側（下側）に位置するように内周面部５３および閉塞突条５２の高さ寸法が設定されている。これにより、蓋面部５４および内周面部５３によって形成された凹部に容器本体２０の底面２１側を挿入することで、複数の蓋付容器１０を安定して積載することができる。
【００２９】
蓋体５０には、図１〜図６に示すように、容器本体２０の開口のうち前面２２側となる一辺の中央部分に、蓋体５０の閉塞状態において、外周面部３２と平行としてその外側に重なるように前面部５５が設けられている。
前面部５５の左右方向の寸法は、ヒンジ４０よりも小さく設定されている。また、ヒンジ４０の左右方向寸法は、後面２３の上端における左右方向寸法と同等かやや小さい程度に設定される。これにより、後述するように、チャイルドプルーフを呈するための蓋体５０における変形耐性を維持するように、ヒンジ４０、蓋体５０および枠体３０の剛性を保持することができる。
【００３０】
枠面部３１は、図１〜図６に示すように、その下側面（裏面）３１ａの幅方向中央部分がフランジ２６の上面と全周で接触するように位置され、フランジ２６が、枠面部３１と外周面部３２と内周面部３３とに囲まれた空間内で固定されるように、後述する接続部により接続されている。
【００３１】
外周面部３２は、図１〜図６に示すように、枠面部３１の外周において、略同一の高さ寸法（幅寸法）としてその全周に設けられている。
外周面部３２の上端３２ａは、図１〜図６に示すように、側面視して蓋体５０が隠れるように、閉塞突条５２および枠面部５１の高さよりも高くなるように、枠面部３１の上面よりも突出するように立設されている。また、蓋体５０の閉塞状態において、枠面部５１の外周端部および閉塞突条５２は、いずれも外周面部３２の上端３２ａに近接するように配置されており、枠体３０と蓋体５０との合わせ目に手指がかからないようになって係止部６０，７０の操作以外での開放が通常はできないようになっている。
【００３２】
外周面部３２の下端３２ｂには、図１〜図６に示すように、水平方向のフランジ３４ａを介して、さらに外側かつ下側に延在するようスタック部３４が周設される。
スタック部３４は、図１〜図６に示すように、一体となった蓋体５０と枠体３０とを積み重ねて保存・輸送する際に前面部５５および係止部６０，７０が相互に干渉しないように、前面部５５およびヒンジ４０を避けるように右側面２４と左側面２５とに対応する位置付近のみに配置されている。
外周面部３２の上端３２ａも、図１〜図６に示すように、スタック部３４と同様に前面部５５およびヒンジ４０を避けるように設けられているが、後面２３と右側面２４と左側面２５とに対応する位置付近に配置されている。
【００３３】
枠面部３１には、図１〜図６に示すように、フランジ２６と当接する下側面３１ａに、幅方向中央位置よりもやや外側となる位置に、外周面部３２と略平行状態となるように、接続部となる接続突条３５が下向きに突出するように周設されている。
【００３４】
接続突条３５は、図１〜図６に示すように、枠体３０と容器本体２０とが接続された場合に、フランジ２６の外周端面２６ａと接触する位置になるように枠面部３１の幅方向位置が設定されている。
接続突条３５には、枠面部３１の下側面３１ａよりも下側で、かつ、フランジ２６の厚み寸法に対応する距離だけ下側面３１ａから離間した位置に、フランジ２６を固定する掛合凸部３５ａが設けられる。掛合凸部３５ａは、フランジ２６の下面に当接するように接続突条３５の内側に突出して形成されている。
これら接続突条３５および掛合凸部３５ａは、掛合部を構成している。
【００３５】
掛合凸部３５ａは、図１〜図６に示すように、接続突条３５の全周に亘ってその周方向に離間して複数設けられる。掛合凸部３５ａは、フランジ２６を固定するように、容器本体２０の開口の各辺に対応してそれぞれの端部位置に設けられるとともに、前面２２および後面２３に対応する長辺においてはその中間側にも追加して設けることが好ましい。具体的には、長辺に４カ所の掛合凸部３５ａを設け、左右側面２４，２５に対応する辺ではそれぞれ２カ所の掛合凸部３５ａを設けることができる。これにより、チャイルドプルーフを呈するための枠体３０およびフランジ２６部分における変形耐性を維持して、不用意に枠体３０がフランジ２６から外れることがないように、枠体３０および容器本体２０の剛性を保持することができる。
【００３６】
掛合凸部３５ａは、図１〜図６に示すように、平面視して、フランジ２６の外周端面２６ａの位置から、容器本体２０あるいは枠体３０における開口中心側に向けて接続突条３５から突出する方向が設定されている。
【００３７】
これにより、掛合凸部３５ａの突出方向、つまり、フランジ２６に対する掛合方向が、略矩形のフランジ２６各辺において、いずれも内側（開口中心側）を向くように設定されるので、フランジ２６を枠体３０から外すためにはフランジ２６の輪郭を縮小するように変形させることになるため、このような変形力が作用した際には、開口の対向する辺側にある接続突条３５によってフランジ２６の変形が防止されるために、掛合凸部３５ａのフランジ２６に対する掛合を確実に維持し、枠体３０と容器本体２０との掛合を保持して、これらが外れてしまうような予期せぬ開放発生を防止することができる。
【００３８】
接続突条３５は、図１〜図６に示すように、その全周に亘って、枠面部３１の下側面３１ａからの突出量が、外周面部３２と内周面部３３とにおける枠面部３１の下側面３１ａからの突出量（高さ寸法）よりも小さくなるように設定されている。これにより、接続突条３５は、枠面部３１と外周面部３２と内周面部３３とに囲まれた空間内でフランジ２６を固定する。
【００３９】
接続突条３５および掛合凸部３５ａは、図１〜図６に示すように、接続部として、枠体３０が、容器本体２０の開口面に延在するフランジ２６に対して、このフランジ２６を覆うように接続され、かつ、枠体３０外側縁部となる外周面部３２から離間した枠面部３１の幅方向中央位置に設けられている。
【００４０】
これにより、接続突条３５が設けられておらず、外周面部３２に直接掛合凸部３５ａが接続されている場合に比べて、掛合凸部３５ａがフランジ２６から外れにくくすることができる。
【００４１】
例えば、子どもが無理矢理蓋付容器１０を開けようとした場合、図４に矢印Ｃｈ示すように、外周面部３２を上方向に剥ぎ取るように変形して枠体３０および蓋体５０を容器本体２０から離脱させようとする作用力が作用することになる。ここで、図１２に示すように、接続突条３５が設けられておらず、外周面部３２に直接掛合凸部３５ａが接続されている場合には、このような作用力に対して、外周面部３２の変形がそのまま掛合凸部３５ａの移動量となってしまう。
【００４２】
これに対して、図４に示すように、接続突条３５に掛合凸部３５ａが接続されている場合には、このような作用力に対して、外周面部３２の変形は、枠面部３１の変形を介して接続突条３５の変形量が掛合凸部３５ａの移動量となる。
接続突条３５に掛合凸部３５ａが接続されている場合には、上記の作用力に対して、図１２に示すように、外周面部３２の変形量に比べて、上記の作用力に対して、図４に示すように、接続突条３５の変形量を小さくすることができる。したがって、接続突条３５の変形により、掛合凸部３５ａがフランジ２６から外れてしまうことをよりいっそう防止することができる。
【００４３】
また、枠面部３１には、図１〜図６に示すように、平面視して掛合凸部３５ａに対応する位置に、枠体３０および蓋体５０の樹脂成形時における利便性を鑑みて、貫通孔３１ｃが設けられる。これにより、枠体３０および蓋体５０の樹脂成形時に、接続突条３５と一体として掛合凸部３５ａを成形することができる。
【００４４】
係止部６０，７０は、蓋体５０と枠体３０とを係止・解除可能とするもので、図１〜図６に示すように、蓋体５０と枠体３０との前面２２側に２つ設けられる。係止部６０および係止部７０は、閉塞状態とされた蓋体５０の前面部５５の両端位置にそれぞれ設けられ、蓋付容器１０の中心線に対してほぼ対称形状に形成されている。
なお係止部を前面２２側に対応する位置にさらに設けること、あるいは、左右側面２４，２５側に追加して設けることも可能である。
【００４５】
係止部６０，７０の配置間隔は、チャイルドプルーフとなる所定の距離ｄだけ離間するように設けられる。
この距離ｄは、大人の手の大きさでは開閉操作が可能であるが、子ども、とくに幼児の手の大きさでは開閉操作ができないようにしたもので、具体的には、図１，図２に示すように、８０ｍｍ〜１３０ｍｍの範囲、より好ましくは、１００ｍｍ〜１２０ｍｍの範囲に設定される。
なお、チャイルドプルーフには、身体的な要素（サイズ）、力、構造理解力を考慮して工夫された包材などといった定義がある。
【００４６】
係止部６０、７０は、図１〜図６に示すように、蓋体５０側として、前面部５５下端の両端位置に水平方向に延在して前方に突出するリブ５６，５７と、これらのリブ５６，５７との左右方向端部から上方に延在する係止片６１，７１が設けられる。
また、係止部６０、７０は、図１〜図６に示すように、枠体３０側として、前面２２に対応する外周面部３２の下端で前面部５５両端に対応する位置に、リブ５６，５７と平面視視してほぼ重なるように設定され水平方向に延在して前方に突出するリブ３６，３７と、これらのリブ３６，３７の左右方向端部で係止片６１，７１に近接する外側位置としてリブ３６，３７から上方に延在する係止片６２，７２が設けられる。
【００４７】
係止部６０において、係止片６１は、ヒンジ４０としての蓋体５０の回動軸線と直交する方向である前後方向かつ上下方向を通る面内に延在するように設けられるとともに、その左右方向外側で、係止片６２と対向する面の中央付近に、左右方向外側に突出する係止凸部６３が設けられる。また、係止片６２には、蓋体５０の閉塞状態において係止凸部６３に対応する位置に左右方向に貫通する貫通孔として係止凹部６４が設けられている。
【００４８】
係止部６０において、係止片６１は、少なくともその上側は前面部５５に対しては接続されておらず、リブ５６に固定された下端側に対して、その厚さ方向であるヒンジ４０としての蓋体５０の回動軸線の延在する方向に弾性変形可能な状態として立設されている。また、係止片６２は、外周面部３２の前面とリブ３６とにその２方向が接続固定するように立設されている。
【００４９】
係止片６１は、前面部５５の高さ方向寸法とほぼ等しい高さ寸法とされており、その上側半分以上が前面部５５と接続されておらず、好ましくは、リブ５６に固定された下端以外は前面部５５と接続されていないことができる。また、係止片６２の高さ寸法は、係止片６１の高さ寸法の半分以下とすることが好ましい。
蓋体５０の閉塞状態において係止片６２で隠されていない係止片６１の部分は、係止・解除動作をする際において、操作者が指をかけて操作する部分となる。このため、蓋体５０の閉塞状態において右側面２５側から側面視した際における、この係止片６２で隠されていない係止片６１の高さ寸法は、大人の指の大きさおよび動作に充分な弾性変形を係止片６１に対して発生させることができる作用力を作用させるための面積を有するように設定されることが好ましい。
【００５０】
係止部７０において、係止片７１は、ヒンジ４０としての蓋体５０の回動軸線と直交する方向である前後方向かつ上下方向を通る面内に延在するように設けられるとともに、その左右方向外側で、係止片７２と対向する側の中央付近に、左右方向外側に突出する係止凸部７３が設けられる。また、係止片７２には、蓋体５０の閉塞状態において係止凸部７３に対応する位置に左右方向に貫通する貫通孔として係止凹部７４が設けられている。
【００５１】
係止部７０において、係止片７１は、少なくともその上側は前面部５５に対しては接続されておらず、リブ５７に固定された下端側に対して、その厚さ方向であるヒンジ４０としての蓋体５０の回動軸線の延在する方向に弾性変形可能な状態として立設されている。また、係止片７２は、外周面部３２の前面とリブ３７とにその２方向が接続固定するように立設されている。
【００５２】
係止片７１は、前面部５５の高さ方向寸法とほぼ等しい高さ寸法とされており、その上側半分以上が前面部５５と接続されておらず、好ましくは、リブ５７に固定された下端以外は前面部５５と接続されていないことができる。また、係止片７２の高さ寸法は、係止片６１の高さ寸法の半分以下とすることが好ましい。
蓋体５０の閉塞状態において係止片７２で隠されていない係止片７１の部分は、係止・解除動作をする際において、操作者が指をかけて操作する部分となる。このため、蓋体５０の閉塞状態において左側面２４側から側面視した際における、この係止片７２で隠されていない係止片６１の高さ寸法は、大人の指の大きさおよび動作に充分な弾性変形を係止片７１に対して発生させることができる作用力を作用させるための面積を有するように設定されることが好ましい。
【００５３】
係止部６０，７０においては、離間したそれぞれの係止部６０における係止片６１と、係止部７０における係止片７１とを、蓋体５０の閉塞状態において互いに接近する方向、つまり、左右方向内側へ弾性変形させることによって、これら係止凸部６３と係止凸部７３とが、係止されていた係止凹部６４と係止凹部７４とからそれぞれ外れることによって係止部６０、７０の係止解除が可能となる。
ここで、係止凸部６３が係止凹部６４から外れる係止片６１の弾性変形と、係止凸部７３が係止凹部７４から外れる係止片７１の弾性変形とが、同時に発生するように動作されないと、係止部６０、７０の係止は解除されず、蓋体５０を開閉することはできないように構成されている。
【００５４】
また、係止部６０，７０においては、これら係止片６１と係止片７１との前方向および上下方向の３方向には操作者の手指に当接する構成が設けられていない。したがって、係止片６１と係止片７１とを操作する際に、操作者の手指の先端が蓋付容器１０の他の部分に当接することがないため、特に、爪が長い操作者であっても、好適に開閉操作をおこなうことが可能となる。これは、トイレタリー製品を収納する場合には、特に好適な操作特性として重要である。
【００５５】
係止部６０，７０においては、係止片６１の係止凸部６３と、係止片６２の係止凹部６４との開閉方向（上下方向）における寸法、および、係止片７１の係止凸部７３と、係止片７２の係止凹部７４との開閉方向（上下方向）における寸法について説明する。
図１３は、本実施形態における係止部を説明するための断面図である。
【００５６】
蓋体５０の開閉時においては、図１３（ａ）において矢印Pで示すように、係止部６０および係止部７０に対して左右方向内側へ向かう変形力を作用させる。このとき、係止部６０では係止がおこなわれても係止部７０では係止がおこなわれていない、あるいは、係止部７０では係止がおこなわれても係止部６０では係止がおこなわれていない、という片掛かりが起きる可能性がある。
【００５７】
この片掛かりを防止するために、図１３（ｂ）に示すように、係止凹部６４の上下方向における寸法を大きくするとともに、係止凹部７４の上下方向における寸法を大きくすることができる。この場合、係止凸部６３と係止凸部７３との高さ位置が傾いた状態で閉塞動作がおこなわれた場合でも、係止凸部６３と係止凸部７３とにおけるリブ３６側への移動可能量を大きくして、どちらか一方が確実に係止するまで、係止凹部６４および係止凹部７４の内部で、係止凸部６３と係止凸部７３とが移動可能とすることができる。
【００５８】
ここで、係止凸部６３と係止凸部７３とが、係止凹部６４と係止凹部７４蓋体５０との係止状態であっても、蓋体５０の周囲が外周面部３２の上端３２ａからはみ出して、手指が掛かり開放する作用力をかけられてしまう可能性がある場合には、さらに、図１３（ｃ）に示すように、係止凹部６４に係止凸部６３’の上下面を傾斜させるとともに、係止凹部６４と係止凸部６３との寸法を多少小さくして、蓋体５０の回動における遊びを低減することができる。ここで、この係止凸部６３の傾斜面により、係止凹部６４との上下方向の寸法のズレが調整されて、所定の位置で係止凸部６３‘の上端部と係止凹部６４が正確に係合することが可能となる。
【００５９】
以下、本実施形態の蓋付容器１０の開閉動作について説明する。
図７〜図１１は、本実施形態における蓋付容器の動作を示すための斜視図である。
【００６０】
まず、本実施形態における蓋付容器１０は、蓋体５０が開口を閉塞している閉状態においては、図７に示すように、前面部５５が外周面部３２の前側位置に重なるようになっており、係止片６１と係止片６２とが対向位置で最近接するように状態となっており、リブ５６とリブ３６とが対向位置で最近接するように状態となっている。
また、蓋体５０に周設された閉塞突条５２が、図１，図４，図７に示すように、枠面部３１の上面に当接しており、蓋体５０の周囲が外周面部３２の上端３２ａに隠蔽されて蓋体５０の周囲端に手指がかからないように保護されている。したがって、蓋体５０の端部は、前面部５５の下端のみが、手指のかかる位置にあることになる。
【００６１】
本実施形態における蓋付容器１０は、蓋体５０が開口を閉塞している閉状態においては、図８に示すように、係止部６０において、係止片６１は、左右方向外側に位置する係止片６２と対向するように接近する状態となっており、係止凸部６３が係止凹部６４内に位置する状態とされている。同時に、係止部７０において、係止片７１は、左右方向外側に位置する係止片７２と対向するように接近する状態となっており、係止凸部７３が係止凹部７４内に位置する状態とされている。
【００６２】
この状態から、蓋体５０を開動作させるには、蓋体５０をヒンジ４０周りに回動させる必要があるが、係止凸部６３が係止凹部６４内に位置して係止されているとともに、係止凸部７３が係止凹部７４内に位置して係止されているため、蓋体５０を前面部５５に対して上方に移動するように力を作用させたとしても、蓋体５０と枠体３０との位置関係は変化せず、蓋付容器１０を開放することはできない。
【００６３】
次いで、係止解除工程として、図９において矢印Pで示すように、係止片６１の上端と係止片７１の上端とに、操作者の手指等を当接させて、左右方向で離間した係止部６０、７０において、それぞれの係止部６０における係止片６１と、係止部７０における係止片７１とを、互いに接近する方向、つまり、左右方向内側へ向かう変形力をたとえば圧縮力として同時に作用させる。
この係止片６１と係止片７１との上端に作用した左右方向内側へ向かう変形力によって、図９に示すように、係止片６１がリブ３６側の下端から左右方向内側へ弾性変形するとともに、係止片７１がリブ３７側の下端から左右方向内側へ弾性変形する。
【００６４】
この係止片６１と係止片７１とにおけるヒンジ４０としての蓋体５０の回動軸線の延在する方向である左右方向への変形に追従して、係止凸部６３が係止されていた係止凹部６４内部から引き出されて、係止凹部６４による係止凸部６３の係止が解除される。同時に、係止凸部７３が係止されていた係止凹部７４内部から引き出されて、係止凹部７４による係止凸部７３の係止が解除される。
これにより、係止片６１が係止片６２に対してリブ３６に邪魔されない上側に移動することが可能となるとともに、係止片７１が係止片７２に対してリブ３７に邪魔されない上側に移動することが可能となる。
【００６５】
係止部６０と係止部７０との係止を同時に解除した状態で、蓋体５０の前側を上方に移動させる方向に開放力を作用させることにより、図１０に示すように、蓋体５０がヒンジ４０周りに回動することが可能となる。
【００６６】
この蓋体５０のヒンジ４０周りの回動により、図１０に示すように、閉塞突条５２が、枠面部３１上面との当接を解除し、次いで、閉塞突条５２が、外周面部３２の上端３２ａよりも上側に移動して、枠体３０が露出するとともに、蓋付容器１０における開口が開放される。
【００６７】
さらに、蓋体５０を回動させて、図１１に示すように、開放状態とする。
【００６８】
本実施形態における蓋付容器１０は、チャイルドプルーフとなる所定の距離ｄだけ離間する係止部６０，７０が設けられ、この係止部６０，７０によって蓋体５０の開閉をおこなうため、チャイルドプルーフを確実に実現しつつ安価に提供可能で、積載商品展示可能で、輸送時における省空間性、所定の強度を有する蓋付容器を提供可能とすることができる。
【００６９】
以下、本発明に係る蓋付容器の第２実施形態を、図面に基づいて説明する。
【００７０】
図１４は、本実施形態における蓋付容器を示す平面図であり、図１５は、本実施形態における蓋付容器を示す正面図であり、図１６は、本実施形態における蓋付容器を示す側面図であり、図１７は、本実施形態における蓋付容器の背面側を示す斜視図であり、図１８は、本実施形態における蓋付容器の係止部を示す拡大斜視図であり、図において、符号１０Ａは、蓋付容器である。
【００７１】
本実施形態に係る蓋付容器１０Ａは、図１４〜図１８に示すように、容器本体２０と、枠体３０Ａと、ヒンジ４０Ａ、４０Ｂと、蓋体５０Ａ，５０Ｂと、係止部６０Ａと、係止部７０Ａと、を有する。これら容器本体２０、一体とされた枠体３０Ａと蓋体５０Ａ，５０Ｂ等は、ポリプロピレン（ＰＰ）、アクリロニトリルスチレン（ＡＳ）、ポリエチレン（ＰＥ）、ポリスチレン（ＰＳ）、ポリカーボネート（ＰＣ）、塩化ビニル（ＰＶＣ）、ポリエチレンテレフタレート（ＰＥＴ）等、適宜内容収納物、強度、加工容易性等により選択することが可能である。
【００７２】
本実施形態に係る容器本体２０は、図１４〜図１８に示すように、略水平な底面２１と、その周囲に立設される前面２２と後面２３と右側面２４と左側面２５とを有して、内容物が収容される有底筒状の箱形状をなしている。
本実施形態に係る容器本体２０は、粉末洗剤、水溶性フィルム洗剤、洗浄用錠剤等のトイレタリー製品などを収容することができる。
【００７３】
容器本体２０は、前面２２と後面２３と右側面２４と左側面２５との上端によって略矩形とされる開口を形成するとともに、その上面位置に底面２１と平行な略水平方向に延在するように所定幅を有するフランジ２６が設けられ、このフランジ２６が、面一とされた前面２２と後面２３と右側面２４と左側面２５との上端より水平方向外側に突出するように周設されている。
【００７４】
枠体３０Ａは、図１４〜図１８に示すように、容器本体２０の開口面輪郭を覆うように容器本体２０と接続されるもので、具体的には、フランジ２６の全周を上側から覆うように水平面に延在する略矩形輪郭の枠面部３１と、この枠面部３１の外周位置に略垂直方向に設けられた外周面部３２と、枠面部３１の内周側に略垂直方向に設けられた内周面部３３と、を有する。
枠体３０Ａは、容器本体２０の開口左右側となる２辺に対応する位置で前後方向水平位置に設けられたヒンジ４０Ａ，４０Ｂによって蓋体５０Ａ，５０Ｂと回動可能として接続されている。
【００７５】
ヒンジ４０Ａは、図１４〜図１８に示すように、右側面２４に対応する開口の一辺に位置する部分の枠体３０Ａから蓋体５０Ａに向う方向に延在する幅広の接続片４１Ａにおいて、ある一点を通る左右方向の直線部分の厚さが極めて小さく設定されてこの部分から構成材の可撓性により折り曲げ可能としたものである。ヒンジ４０Ａは、右側面２４に対応する開口の一辺のほぼ全長に亘って設けられる。
【００７６】
ヒンジ４０Ｂは、図１４〜図１８に示すように、左側面２５に対応する開口の一辺に位置する部分の枠体３０Ａから蓋体５０Ｂに向う方向に延在する幅広の接続片４１Ｂにおいて、ある一点を通る左右方向の直線部分の厚さが極めて小さく設定されてこの部分から構成材の可撓性により折り曲げ可能としたものである。ヒンジ４０Bは、左側面２５に対応する開口の一辺のほぼ全長に亘って設けられる。
【００７７】
蓋体５０Ａと蓋体５０Ｂとは、これらを合わせて第１実施形態における蓋体５０に対応して、容器本体２０（枠体３０Ａ）の開口を開閉可能とされている。
【００７８】
蓋体５０Ａは、図１４〜図１８に示すように、容器本体２０の開口を開閉するものとされ、枠面部３１Ａのうち右側面２４側に対応する形状とされる枠面部５１と、内周面部３３のうち右側面２４側に対応するように設けられた内周面部５３と、内周面部５３のうち右側面２４側に接続されるとともに内周面部５３の内側領域に延在する蓋面部５４Ａとを有する。
【００７９】
蓋体５０Ｂは、図１４〜図１８に示すように、容器本体２０の開口を開閉するものとされ、枠面部３１Ａのうち左側面２５側に対応する形状とされる枠面部５１と、内周面部３３のうち左側面２５側に対応するように設けられた内周面部５３と、内周面部５３のうち左側面２５側に接続されるとともに蓋面部５４Ａの下側に位置する蓋面部５４Ｂとを有する。
【００８０】
蓋体５０Ａは、ヒンジ４０Ａを回動軸線として、枠体３０Ａおよびこの枠体３０Ａと一体に掛合接続された容器本体２０に対して回動可能に接続されている。蓋体５０Ｂは、ヒンジ４０Ｂを回動軸線として、枠体３０Ａおよびこの枠体３０Ａと一体に掛合接続された容器本体２０に対して回動可能に接続されている。
【００８１】
蓋体５０Ａにおける枠面部５１と、蓋体５０Ｂにおける枠面部５１とは、前面２２および後面２３に対応する辺の中央位置よりも右側面２５側を結ぶとともに右側面２５に対応する辺と平行な直線に沿って分割されている。同様に、蓋体５０Ａにおける内周面部５３と、蓋体５０Ｂにおける内周面部５３とは、前面２２および後面２３に対応する辺の中央位置よりも右側面２５側を結ぶとともに右側面２５に対応する辺と平行な直線に沿って分割されている。
【００８２】
枠面部５１は、蓋体５０Ａおよび蓋体５０Ｂの閉塞状態において、略水平状態に開口縁部を周回するとともに、その内周端には、内周面部５３が下方に向けて接続される。
枠面部５１の外周端には、蓋体５０Ａおよび蓋体５０Ｂの閉塞状態において、外周面部３２と略平行状態として枠面部３１の上面に当接する閉塞突条５２が下側に突出するように周設される。
【００８３】
蓋面部５４Ａは、図１４〜図１８に示すように、蓋体５０Ａの閉塞状態において、底面２１、フランジ２６、枠面部５１Ａ，５１Ｂ、および、枠面部３１とほぼ並行となり、容器本体２０の開口となる枠体３０Ａの開口の全域を覆って閉塞する。蓋面部５４Ａおよび内周面部５３は、平面視して底面２１と略同じ輪郭形状となるように設定されている。また、蓋面部５４Ａは、第１実施形態における蓋面部５４と略同等の構成とされている。
【００８４】
蓋面部５４Ｂは、図１４〜図１８に示すように、蓋体５０Ｂの閉塞状態において、底面２１、フランジ２６、枠面部５１Ａ，５１Ｂ、および、枠面部３１とほぼ並行となり、容器本体２０の開口となる枠体３０Ａの開口のうち右側面２５側領域を覆って閉塞する。蓋面部５４Ｂの枠面部５１Ｂ側輪郭および内周面部５３は、平面視して底面２１と略同じ輪郭形状となるように設定されている。また、蓋面部５４Ｂは、蓋体５０Ｂの閉塞状態において、蓋面部５４Ａよりも底面２１側となる下側に位置するように設定されている。
【００８５】
蓋面部５４Ｂは、図１４〜図１８に示すように、蓋体５０Ｂの閉塞状態において、前面２２および後面２３に対応する辺の中央位置よりも右側面２５側を結ぶとともに右側面２５に対応する辺と平行な直線に沿った線を左側面２４側の輪郭線として有する。
【００８６】
蓋体５０Ｂにおける枠面部５１と閉塞突条５２と内周面部５３とにおいて、蓋面部５４Ｂにおける左側面２４側の輪郭線となる前面２２および後面２３に対応する辺の中央位置よりも右側面２５側を結ぶとともに右側面２５に対応する辺と平行な直線よりも左側面２４側には、蓋体５０Ａ，５０Ｂの閉塞状態において、枠面部５１、閉塞突条５２および内周面部５３よりも下側位置または内側位置に延在するように、閉塞枠面部５１ｂ、閉塞内突条５２ｂおよび閉塞内周面部５３ｂが設けられる。
【００８７】
これら閉塞枠面部５１ｂ、閉塞内突条５２ｂおよび閉塞内周面部５３ｂは、蓋面部５４Ｂとともに、蓋体５０Ａ，５０Ｂの閉塞状態において、蓋体５０Ａにおける枠面部５１、閉塞突条５２および内周面部５３よりも下側または位置に位置して、蓋低５０Ａと蓋体５０Ｂとの境界部分を閉塞するようになっている。
【００８８】
蓋体５０Ａにおいては、図１４〜図１８に示すように、蓋面部５４Ａが、内周面部５３Ａにより、枠面部５１と平行で、かつ、フランジ２６よりも底面２１側（下側）に位置するように内周面部５３Ａおよび閉塞突条５２の高さ寸法とともに設定されている。
これにより、蓋面部５４Ａおよび内周面部５３によって形成された凹部に容器本体２０の底面２１側を挿入することで、複数の蓋付容器１０を安定して積載することができる。
【００８９】
なお、本実施形態においては、スタック部５９が内周面部５３の四隅に設けられており、蓋面部５４Ａおよび内周面部５３によって形成された凹部に容器本体２０の底面２１側を挿入した際に、底面２１の四隅がこのスタック部５９に当接するようになっている。スタック部５９は、内周面部５３の四隅に位置し、開口中心側に突出した部分の上面とされている。
【００９０】
蓋体５０Ａには、図１４〜図１８に示すように、容器本体２０の開口のうち前面２２および後面２３側となる２辺においてその中央より右側面２５側となる部分、つまり、蓋体５０Ｂとの境界部分となる蓋体５０Ａ端部で開口外側位置に、この蓋体５０Ａの閉塞状態において、外周面部３２と平行としてその外側に重なるように前面片５７Ａおよび後面片５６Ａが設けられている。これら前面片５７Ａおよび後面片５６Ａは、後述するように、それぞれ係止部７０Ａおよび係止部６０Ａを構成するものとされる。
【００９１】
枠面部３１は、図１４〜図１８に示すように、その下側面（裏面）３１ａの幅方向中央部分がフランジ２６の上面と全周で接触するように位置され、フランジ２６が、枠面部３１と外周面部３２と内周面部３３とに囲まれた空間内で固定されるように、後述する接続部により接続されている。
【００９２】
外周面部３２は、図１４〜図１８に示すように、枠面部３１の外周において、略同一の高さ寸法（幅寸法）としてその全周に設けられている。
外周面部３２の上端３２ａは、図１４〜図１８に示すように、側面視して蓋体５０Ａおよび蓋体５０Ｂが隠れるように、閉塞突条５２および枠面部５１の高さよりも高くなるように、枠面部３１の上面よりも突出するように立設されている。また、蓋体５０Ａ，５０Ｂの閉塞状態において、枠面部５１の外周端部および閉塞突条５２は、いずれも外周面部３２の上端３２ａに近接するように配置されており、枠体３０Ａと蓋体５０Ａ，５０Ｂとの合わせ目に手指がかからないようになって係止部６０Ａ，７０Ａの操作以外での開放が通常はできないようになっている。
【００９３】
外周面部３２の上端３２ａは、図１４〜図１８に示すように、一体となった蓋体５０Ａ，５０Ｂと枠体３０Ａとを積み重ねて保存・輸送する際に前面部５５および係止部６０，７０が相互に干渉しないように、前面片５７Ａ、後面片５６Ａおよびヒンジ４０Ａ，４０Ｂを避けるように設けられているが、前面２２と後面２３の大半および右側面２４と左側面２５との両端部分に対応する位置付近に配置されている。
【００９４】
枠面部３１には、図１４〜図１８および第１実施形態の図４〜図６に示すように、フランジ２６と当接する下側面３１ａに、幅方向中央位置よりもやや外側となる位置に、外周面部３２と略平行状態となるように、接続部となる接続突条３５が下向きに突出するように周設されている。
【００９５】
接続突条３５は、図１４〜図１８および図１〜図６に示すように、枠体３０と容器本体２０とが接続された場合に、フランジ２６の外周端面２６ａと接触する位置になるように枠面部３１の幅方向位置が設定されている。
接続突条３５には、枠面部３１の下側面３１ａよりも下側で、かつ、フランジ２６の厚み寸法に対応する距離だけ下側面３１ａから離間した位置に、フランジ２６を固定する掛合凸部３５ａが設けられる。掛合凸部３５ａは、フランジ２６の下面に当接するように接続突条３５の内側に突出して形成されている。
これら接続突条３５および掛合凸部３５ａは、掛合部を構成している。
【００９６】
掛合凸部３５ａは、図１４〜図１８および図１〜図６に示すように、接続突条３５の全周に亘ってその周方向に離間して複数設けられる。掛合凸部３５ａは、フランジ２６を固定するように、容器本体２０の開口の各辺に対応してそれぞれの端部位置に設けられるとともに、前面２２および後面２３に対応する長辺においてはその中間側にも追加して設けることが好ましい。具体的には、長辺に４カ所の掛合凸部３５ａを設け、左右側面２４，２５に対応する辺ではそれぞれ２カ所の掛合凸部３５ａを設けることができる。これにより、チャイルドプルーフを呈するための枠体３０Ａおよびフランジ２６部分における変形耐性を維持して、不用意に枠体３０Ａがフランジ２６から外れることがないように、枠体３０Ａおよび容器本体２０の剛性を保持することができる。
【００９７】
掛合凸部３５ａは、図１４〜図１８および図１〜図６に示すように、平面視して、フランジ２６の外周端面２６ａの位置から、容器本体２０あるいは枠体３０Ａにおける開口中心側に向けて接続突条３５から突出する方向が設定されている。
【００９８】
これにより、掛合凸部３５ａの突出方向、つまり、フランジ２６に対する掛合方向が、略矩形のフランジ２６各辺において、いずれも内側（開口中心側）を向くように設定されるので、フランジ２６を枠体３０Ａから外すためにはフランジ２６の輪郭を縮小するように変形させることになるため、このような変形力が作用した際には、開口の対向する辺側にある接続突条３５によってフランジ２６の変形が防止されるために、掛合凸部３５ａのフランジ２６に対する掛合を確実に維持し、枠体３０Ａと容器本体２０との掛合を保持して、これらが外れてしまうような予期せぬ開放発生を防止することができる。
【００９９】
接続突条３５は、図１４〜図１８および図１〜図６に示すように、その全周に亘って、枠面部３１の下側面３１ａからの突出量が、外周面部３２と内周面部３３とにおける枠面部３１の下側面３１ａからの突出量（高さ寸法）よりも小さくなるように設定されている。これにより、接続突条３５は、枠面部３１と外周面部３２と内周面部３３とに囲まれた空間内でフランジ２６を固定する。
【０１００】
接続突条３５および掛合凸部３５ａは、図１４〜図１８および図１〜図６に示すように、接続部として、枠体３０Ａが、容器本体２０の開口面に延在するフランジ２６に対して、このフランジ２６を覆うように接続され、かつ、枠体３０Ａ外側縁部となる外周面部３２から離間した枠面部３１の幅方向中央位置に設けられている。
【０１０１】
これにより、接続突条３５が設けられておらず、外周面部３２に直接掛合凸部３５ａが接続されている場合に比べて、掛合凸部３５ａがフランジ２６から外れにくくすることができる。
【０１０２】
例えば、子どもが無理矢理蓋付容器１０を開けようとした場合、図４に矢印Ｃｈ示すように、外周面部３２を上方向に剥ぎ取るように変形して枠体３０Ａおよび蓋体５０Ａ，５０Ｂを容器本体２０から離脱させようとする作用力が作用することになる。ここで、図１２に示すように、接続突条３５が設けられておらず、外周面部３２に直接掛合凸部３５ａが接続されている場合には、このような作用力に対して、外周面部３２の変形がそのまま掛合凸部３５ａの移動量となってしまう。
【０１０３】
これに対して、図４に示すように、接続突条３５に掛合凸部３５ａが接続されている場合には、このような作用力に対して、外周面部３２の変形は、枠面部３１の変形を介して接続突条３５の変形量が掛合凸部３５ａの移動量となる。
接続突条３５に掛合凸部３５ａが接続されている場合には、上記の作用力に対して、図１２に示すように、外周面部３２の変形量に比べて、上記の作用力に対して、図４に示すように、接続突条３５の変形量を小さくすることができる。したがって、接続突条３５の変形により、掛合凸部３５ａがフランジ２６から外れてしまうことをよりいっそう防止することができる。
【０１０４】
また、枠面部３１には、図１４〜図１８および図１〜図６に示すように、平面視して掛合凸部３５ａに対応する位置に、枠体３０Ａおよび蓋体５０Ａ，５０Ｂの樹脂成形時における利便性を鑑みて、貫通孔３１ｃが設けられる。これにより、枠体３０Ａおよび蓋体５０Ａ，５０Ｂの樹脂成形時に、接続突条３５と一体として掛合凸部３５ａを成形することができる。
【０１０５】
係止部６０Ａ，７０Ａは、蓋体５０Ａおよび蓋体５０Ｂと枠体３０Ａとを係止・解除可能とするもので、図１４〜図１８に示すように、蓋体５０Ａの閉塞状態において、蓋体５０Ａと枠体３０Ａとの前面２２および後面２３側に一カ所ずつ設けられる。具体的には、蓋体５０Ａと枠体３０Ａとの前面２２側に係止部７０Ａが設けられ、蓋体５０Ａと枠体３０Ａとの後面２３側に係止部６０Ａが設けられる。係止部６０Ａ，７０Ａは、蓋付容器１０Ａにおいて左側面２４と右側面２５との中心を結んだ直線に対してほぼ対称形状に形成されている。
【０１０６】
係止部６０Ａ，７０Ａは、図１４〜図１８に示すように、容器本体２０の開口のうち前面２２および後面２３側となる２辺においてその中央より右側面２５側となる蓋体５０Ａ端部、つまり、蓋体５０Ｂとの境界部分となる蓋体５０Ａ端部で開口外側位置にそれぞれ設けられる。
【０１０７】
係止部６０Ａ，７０Ａの配置間隔は、チャイルドプルーフとなる所定の距離ｄだけ離間するように設けられる。距離ｄは容器本体２０および枠体３０Ａの前後方向幅寸法によって規定されるものである。
この距離ｄは、大人の手の大きさでは開閉操作が可能であるが、子ども、とくに幼児の手の大きさでは開閉操作ができないようにしたもので、具体的には、図１４，図１６に示すように、８０ｍｍ〜１３０ｍｍの範囲、より好ましくは、１００ｍｍ〜１２０ｍｍの範囲に設定される。
【０１０８】
係止部６０Ａ，７０Ａは、図１４〜図１８に示すように、蓋体５０Ａ側として、蓋体５０Ａの閉塞状態において、前面２２の外周面部３２と平行としてその外側に重なるように設けられた前面片５７Ａと、後面２３の外周面部３２と平行としてその外側に重なるように設けられた後面片５６Ａと、この前面片５７Ａの下端５８から外側鉛直方向に延在するように立設される係止片７１Ａと、後面片５６Ａの下端５８から外側鉛直方向に延在するように立設される係止片６１Ａと、を有する。
【０１０９】
係止部６０Ａ，７０Ａは、図１４〜図１８に示すように、枠体３０Ａ側として、前面２２に対応する外周面部３２の下端３２ｂで前面片５７Ａおよび係止片７１Ａに対応する位置に、前面片５７Ａおよび係止片７１Ａと平面視視してほぼ重なるように設定され水平方向に延在して前方に突出する係止片７２Ａと、後面２３に対応する外周面部３２の下端３２ｂで後面片５６Ａおよび係止片６１Ａに対応する位置に、後面片５６Ａおよび係止片６１Ａと平面視視してほぼ重なるように設定され水平方向に延在して後方に突出する係止片６２Ａと、が設けられる。
【０１１０】
係止部６０Ａにおいて、係止片６１Ａは、ヒンジ４０Ａとしての蓋体５０Ａの回動軸線と直交する方向である左右方向かつ上下方向を通る面内に延在するように設けられるとともに、その前後方向外側面で係止片６２Ａに対応する位置よりも下側に、後方向に突出する係止凸部６３Ａが設けられる。また、係止片６２Ａには、蓋体５０Ａの閉塞状態において係止凸部６３Ａに対応する位置に上下方向に貫通する貫通孔として係止凹部６４Ａが設けられている。
【０１１１】
係止部６０Ａにおいて、係止片６１Ａは、その上側は後面片５６Ａに対しては接続されておらず、後面片５６Ａに固定された下端側に対して、その厚さ方向であるヒンジ４０Ａとしての蓋体５０Ａの回動軸線の延在する方向に弾性変形可能な状態として立設されている。また、係止片６２Ａは、外周面部３２の後面側の下端３２ｂに上下方向の幅寸法をもって強固に接続固定するように後方に突出されている。
【０１１２】
係止片６１Ａは、後面片５６Ａの高さ方向寸法とほぼ等しい高さ寸法とされており、外周面部３２の上端３２ａより下側で、枠面部３１上面から下端５８まで延在するとともに、後面片５６Ａと接続された下端５８以外は後面片５６Ａと接続されていない。また、係止片６２Ａの高さ寸法は、係止片６１Ａの高さ寸法とは関係なく貫通孔において係止凸部６３Ａを係止可能な幅寸法とすることが好ましい。
蓋体５０Ａの閉塞状態において係止片６２Ａよりも上側に位置し後方向に露出している係止片６１Ａの部分は、係止・解除動作をする際において、操作者が指をかけて操作する部分となる。このため、図１６，図１７に示すように、蓋体５０Ａの閉塞状態において後面２３側から背面視した際における、この係止片６２Ａで隠されていない係止片６１Ａの高さ寸法は、大人の指の大きさおよび動作に充分な弾性変形を係止片６１Ａに対して発生させることができる作用力を作用させるための面積を有するように設定されることが好ましい。
【０１１３】
係止部７０Ａにおいて、係止片７１Ａは、ヒンジ４０Ａとしての蓋体５０Ａの回動軸線と直交する方向である左右方向かつ上下方向を通る面内に延在するように設けられるとともに、その前後方向外側面で係止片７２Ａに対応する位置よりも下側に、前方向に突出する係止凸部７３Ａが設けられる。また、係止片７２Ａには、蓋体５０Ａの閉塞状態において係止凸部７３Ａに対応する位置に上下方向に貫通する貫通孔として係止凹部７４Ａが設けられている。
【０１１４】
係止部７０Ａにおいて、係止片７１Ａは、その上側は前面片５７Ａに対しては接続されておらず、前面片５７Ａに固定された下端５８側に対して、その厚さ方向であるヒンジ４０Ａとしての蓋体５０Ａの回動軸線の延在する方向に弾性変形可能な状態として立設されている。また、係止片７２Ａは、外周面部３２の前面側の下端３２ｂに上下方向の幅寸法をもって強固に接続固定するように前方に突出されている。
【０１１５】
係止片７１Ａは、前面片５７Ａの高さ方向寸法とほぼ等しい高さ寸法とされており、外周面部３２の上端３２ａより下側で、枠面部３１上面から下端５８まで延在するとともに、前面片５７Ａと接続された下端５８以外は前面片５７Ａと接続されていない。また、係止片７２Ａの高さ寸法は、係止片７１Ａの高さ寸法とは関係なく貫通孔において係止凸部７３Ａを係止可能な幅寸法とすることが好ましい。
蓋体５０Ａの閉塞状態において係止片７２Ａよりも上側に位置し後方向に露出している係止片７１Ａの部分は、係止・解除動作をする際において、操作者が指をかけて操作する部分となる。このため、図１６，図１７に示すように、蓋体５０Ａの閉塞状態において前面２２側から正面視した際における、この係止片７２Ａで隠されていない係止片７１Ａの高さ寸法は、大人の指の大きさおよび動作に充分な弾性変形を係止片７１Ａに対して発生させることができる作用力を作用させるための面積を有するように設定されることが好ましい。
【０１１６】
係止部６０Ａ，７０Ａにおいては、離間したそれぞれの係止部６０Ａにおける係止片６１Ａと、係止部７０Ａにおける係止片７１Ａとを、蓋体５０Ａの閉塞状態において互いに接近する方向、つまり、前後方向内側へ弾性変形させることによって、これら係止凸部６３Ａと係止凸部７３Ａとが、係止されていた係止凹部６４Ａと係止凹部７４Ａとからそれぞれ外れることによって係止部６０Ａ、７０Ａの係止解除が可能となる。
ここで、係止凸部６３Ａが係止凹部６４Ａから外れる係止片６１Ａの弾性変形と、係止凸部７３Ａが係止凹部７４Ａから外れる係止片７１Ａの弾性変形とが、同時に発生するように動作されないと、係止部６０Ａ、７０Ａの係止は解除されず、蓋体５０Ａ，５０Ｂを開閉することはできないように構成されている。
【０１１７】
以下、本実施形態の蓋付容器１０Ａ，５０Ｂの開閉動作について説明する。
図１９，図２０，図２２は、本実施形態における蓋付容器の動を示すための斜視図であり、図２１，図２３は、本実施形態における蓋付容器の動を示すための平面図である。
【０１１８】
まず、本実施形態における蓋付容器１０Ａは、蓋体５０Ａ，５０Ｂが開口を閉塞している閉状態においては、図１９に示すように、蓋体５０Ａ，５０Ｂに周設された閉塞突条５２が、図１９に示すように、枠面部３１の上面に当接しており、蓋体５０Ａ，５０Ｂの周囲が外周面部３２の上端３２ａに隠蔽されて蓋体５０Ａ，５０Ｂの周囲端に手指がかからないように保護されている。したがって、蓋体５０Ａ，５０Ｂとしては、手指のかかる位置にある端部はないことになる。
【０１１９】
ここで、蓋面部５４Ｂは、蓋面部５４Ａの下側、つまり容器本体２０内部側に位置しており、表面に露出していない。また、蓋面部５４Ａの輪郭は、蓋体５０Ａの内周面部５３に接続しているか、蓋体５０Ｂの内周面部５３に当接している。また枠面部５１における蓋体５０Ａと蓋体５０Ｂとの境界部分には、平面視してこれらの下側に重なる位置に閉塞枠面部５１ｂがあり、また、閉塞突条５２における蓋体５０Ａと蓋体５０Ｂとの境界部分には、その隙間に閉塞内突条５２ｂが延在し、内周面部５３における蓋体５０Ａと蓋体５０Ｂとの境界部分には、閉塞内周面部５３ｂが内周面部３３側に存在して、これらの隙間を閉塞している。
これにより、枠面部３１の内側位置となる開口面は蓋体５０Ａ，５０Ｂにより閉塞されている。
【０１２０】
また、本実施形態における蓋付容器１０Ａは、蓋体５０Ａ，５０Ｂが開口を閉塞している閉状態においては、図１９，図１８に示すように、前面片５７Ａが外周面部３２の前側位置に重なるようになっており、後面片５６Ａが外周面部３２の後側位置に重なるようになっており、係止片６１Ａと後面片５６Ａとの下端５８が係止片６２Ａの貫通孔となる係止凹部６４Ａよりも下側に位置する状態となるとともに、係止片７１Ａと前面片５７Ａとの下端５８が係止片７２Ａの貫通孔となる係止凹部７４Ａよりも下側に位置する状態となっており、係止片６１Ａと係止片７１Ａとが枠面部３１の上面と平行な高さ位置と一致する状態となっている。
【０１２１】
この状態から、蓋体５０Ａを開動作させるには、蓋体５０Ａをヒンジ４０Ａ周りに回動させる必要があるが、係止凸部６３Ａが係止凹部６４Ａ内に位置して係止されているとともに、係止凸部７３Ａが係止凹部７４Ａ内に位置して係止されているため、前面片５７Ａと後面片５６Ａが外周面部３２に対して上方に移動するように力を作用させたとしても、蓋体５０Ａと枠体３０Ａとの位置関係は変化せず、蓋付容器１０Ａの開口を開放することはできない。
【０１２２】
次いで、第１係止解除工程として、図１９において矢印Pで示すように、係止片６１Ａの上端と係止片７１Ａの上端とに、操作者の手指等を当接させて、前後方向で離間した係止部６０Ａ、７０Ａにおいて、それぞれの係止部６０Ａにおける係止片６１Ａと、係止部７０Ａにおける係止片７１Ａとを、互いに接近する方向、つまり、前後方向内側へ向かう変形力をたとえば圧縮力として同時に作用させる。
この係止片６１Ａと係止片７１Ａとの上端に作用した前後方向内側へ向かう変形力によって、図１９に示すように、係止片６１Ａが下端５８から前方向へ弾性変形するとともに、係止片７１Ａが下端５８から後方向へ弾性変形する。
【０１２３】
この係止片６１Ａと係止片７１Ａとにおけるヒンジ４０Ａとしての蓋体５０の回動軸線の延在する方向である前後方向への変形に追従して、係止凸部６３Ａが係止されていた係止凹部６４Ａ内部において係止解除されて引き出し可能となる。同時に、係止凸部７３Ａが係止されていた係止凹部７４Ａ内部において係止解除されて引き出し可能となる。
これにより、係止凹部６４Ａから係止凸部６３Ａによらずに係止片６１Ａおよび後面片５６Ａをヒンジ４０Ａ周りに回動させて、係止片６１Ａが係止片６２Ａに邪魔されない上側に移動することが可能となるとともに、係止凹部７４Ａから係止凸部７３Ａによらずに係止片７１Ａおよび前面片５７Ａをヒンジ４０Ａ周りに回動させて、係止片７１Ａが係止片７２Ａに邪魔されない上側に移動することが可能となる。
【０１２４】
係止部６０Ａと係止部７０Ａとの係止を同時に解除した状態で、蓋体５０Ａの右側を上方に移動させる方向に開放力を作用させることにより、図２０に示すように、蓋体５０Ａがヒンジ４０Ａ周りに回動することが可能となる。
【０１２５】
この蓋体５０Ａのヒンジ４０Ａ周りの回動により、図２１に示すように、蓋体５０Ａの閉塞突条５２が、枠面部３１上面との当接を解除し、次いで、蓋体５０Ａの閉塞突条５２が、外周面部３２の上端３２ａよりも上側に移動して、枠体３０Ａの左側部分が露出するとともに、蓋付容器１０Ａにおける開口が蓋体５０Ａに対応する部分だけ開放される。この状態では、図２１に示すように、蓋付容器１０Ａにおける開口は、蓋体５０Ｂに対応する部分だけ閉塞されている。
【０１２６】
次いで、第２係止解除工程として、図２２に示すように、蓋面部５４Ａによって上側への移動が規制されていた蓋面部５４Ｂ、および、蓋体５０Ａの枠面部５１によって上側への移動が規制されていた閉塞枠面部５１ｂ、蓋体５０Ａの閉塞突条５２によって上側への移動が規制されていた閉塞内突条５２ｂ、および、蓋体５０Ａの内周面部５３によって上側への移動が規制されていた閉塞内周面部５３ｂが、蓋体５０Ａのヒンジ４０Ａ周りの回動により、それぞれ当接していた蓋面部５４Ａ、枠面部５１、閉塞突条５２、内周面部５３による当接が解除されて、蓋体５０Ｂのヒンジ４０Ｂ周りの回動を規制が解除されることになる。
【０１２７】
この状態で、蓋体５０Ｂの左側を上方に移動させる方向に開放力を作用させることにより、図２２に示すように、蓋体５０Ｂがヒンジ４０ＢＡ周りに回動することが可能となる。
【０１２８】
この蓋体５０Ｂのヒンジ４０Ｂ周りの回動により、図２３に示すように、蓋体５０Ｂの閉塞突条５２が、枠面部３１上面との当接を解除し、次いで、蓋体５０Ｂの閉塞突条５２が、外周面部３２の上端３２ａよりも上側に移動して、枠体３０Ａの右側部分が露出するとともに、蓋付容器１０Ｂによって閉塞されていた開口部分も開放される。
【０１２９】
さらに、蓋体５０Ｂを回動させて、図２３に示すように、全開放状態とする。
【０１３０】
本実施形態における蓋付容器１０Ａは、チャイルドプルーフとなる所定の距離ｄだけ離間する係止部６０Ａ，７０Ａが設けられ、この係止部６０Ａ，７０Ａによって蓋体５０Ａ，５０Ｂの開閉をおこなうため、チャイルドプルーフを確実に実現しつつ安価に提供可能で、積載商品展示可能で、輸送時における省空間性、所定の強度を有する蓋付容器を提供可能とすることができる。
【０１３１】
以下、本発明に係る蓋付容器の第３実施形態を、図面に基づいて説明する。
【０１３２】
図２４は、本実施形態の蓋付容器を示す正面図であり、図２５は、本実施形態の蓋付容器における蓋体および枠体の開状態を示す平面図であり、図２６は、本実施形態の蓋付容器における蓋体および枠体の開状態を示す下面図であり、図２７は、本実施形態の蓋付容器における蓋体および枠体の開状態を示す側面図であり、図２８は、本実施形態の蓋付容器における蓋体および枠体の開状態を示す後面図であり、図２９は、本実施形態の蓋付容器における蓋体および枠体の開状態を示す前面図であり、図３０は、本実施形態の蓋付容器における係止部分の閉状態を示す拡大前断面図であり、図３１は、本実施形態の蓋付容器における係止部の開状態を示す拡大前断面図であり、図３２は、本実施形態の蓋付容器における他の係止部の開状態を示す拡大前断面図であり、図３３は、図２５における係止部を示す拡大矢視図であり、図３４は、図２６における係止部を示す拡大矢視図であり、図３５は、図２６における傾斜面付近を示す拡大矢視図であり、図３６は、本実施形態の蓋付容器における蓋体および枠体の積み重ね状態を示す前断面図であり、図において、符号１００は、蓋付容器である。
【０１３３】
本実施形態に係る蓋付容器１００は、図２４〜図３６に示すように、容器本体１２０と、枠体１３０と、ヒンジ１４０と、蓋体１５０と、係止部１６０と、係止部１７０と、を有する。これら容器本体１２０、容器本体２０と同様の樹脂材料からなるものとされ、一体とされた枠体１３０と蓋体１５０等は、一体とされた枠体３０と蓋体５０等と同様の樹脂材料からなるものとされ、それぞれ、ポリプロピレン（ＰＰ）、アクリロニトリルスチレン（ＡＳ）、ポリエチレン（ＰＥ）、ポリスチレン（ＰＳ）、ポリカーボネート（ＰＣ）、塩化ビニル（ＰＶＣ）、ポリエチレンテレフタレート（ＰＥＴ）等、適宜内容収納物、強度、加工容易性等により適宜選択することが可能である。
【０１３４】
本実施形態に係る容器本体１２０は、容器本体２０と同様の構成をなしている。本実施形態の容器本体１２０においては、図２４〜図３６に示すように、容器本体２０に対応する構成要素に同一の符号を付してその説明を省略することもある。ただし、図における符号を１２０番台に読み替えるものとする。
【０１３５】
本実施形態の容器本体１２０においては、図２４に示すように、略水平な底面１２１と、その周囲に立設される前面１２２と後面１２３と右側面１２４と左側面１２５とを有して、内容物が収容される有底筒状の箱形状をなしている。
本実施形態に係る容器本体１２０も、容器本体２０と同様に、粉末洗剤、水溶性フィルム洗剤、洗浄用錠剤、サプリメント等のトイレタリー製品などを収容することができる。
【０１３６】
容器本体１２０は、前面１２２と後面１２３と右側面１２４と左側面１２５との上端によって略矩形とされる開口を形成するとともに、その上面位置に底面１２１と平行な略水平方向に延在するように所定幅を有するフランジ１２６が設けられ、このフランジ１２６が、面一とされた前面１２２と後面１２３と右側面１２４と左側面１２５との上端より水平方向外側に突出するように周設されている。
【０１３７】
図２４に示すように、容器本体１２０の前面１２２と右側面１２４側、および、前面１２２と右側面１２４側、および、後面１２３と右側面１２４側、および、後面１２３と右側面１２４側には、それぞれ、容器本体１２０の角部分に略水平方向に延在する段差２７が設けられて、容器本体１２０どうしを複数安定して積層することができる。段差２７は、容器本体１２０の全周に設けられることもできるが、本実施形態では、容器本体１２０の角部分のみに設けられる。
なお、図２５〜図２９等においては、容器本体１２０の図示を省略している。
【０１３８】
枠体１３０は、枠体３０に対応した構成とされ、図２４〜図３６に示すように、容器本体１２０の開口面輪郭を覆うように容器本体１２０と接続されるもので、具体的には、フランジ１２６の全周を上側から覆うように水平面に延在する略矩形輪郭の枠面部１３１と、この枠面部１３１の外周位置に略垂直方向に設けられた外周面部１３２と、枠面部３１の内周側に略垂直方向に設けられた内周面部１３３と、を有する。
枠体１３０は、容器本体１２０の開口後側となる一辺に対応する位置で左右方向水平位置に設けられたヒンジ１４０によって蓋体１５０と回動可能として接続されている。
【０１３９】
枠面部１３１の外周縁部には、外周面部１３２が上下方向に突出して形成されている。
外周面部１３２は、枠面部３１の外周端のうち、後側となる上側位置には設けられておらず、この枠面部１３１の後外側端部位置には、ヒンジ１４０が接続されている。
内周面部１３３は、枠面部１３１の内周縁部から下方向のみに突出して形成されている。内周面部１３３は、枠面部１３１の全周にわたって設けられる。また、枠面部１３１の前側枠１３１ｄは、ヒンジ１４０に接続される後側よりも前後幅寸法が大きくなるように設定されている。外周面部１３２と内周面部１３３との下端は、図３６に示すように、面一となるように設定されている。
【０１４０】
ヒンジ１４０は、ヒンジ４０に対応した構成とされ、図２５〜図２７，図３６に示すように、枠体１３０から蓋体１５０に向かう方向に延在する幅広の接続片１４１において、ある一点を通る左右方向の直線部分の厚さが極めて小さく設定されてこの部分から構成材の可撓性により折り曲げ可能としたものである。
【０１４１】
本実施形態において、ヒンジ１４０は、図２５〜図２６に示すように、その延在する方向に３箇所に分割されてそれぞれが離間するように設けられている。これにより、一体とされたヒンジ１４０と枠体１３０と蓋体１５０とを形成する際に必要な樹脂量を削減できる。
ヒンジ１４０の左右方向における最大幅寸法は、係止片１６１と係止片１７１との間における左右方向寸法と同等かやや大きい程度に設定される。これにより、後述するように、チャイルドプルーフを呈するための枠体１３０および蓋体１５０における変形耐性を維持するように、ヒンジ１４０、蓋体１５０および枠体１３０の剛性を保持することが可能となる。
【０１４２】
蓋体１５０は、図２４〜図３６に示すように、容器本体１２０の開口を開閉可能とするものとされ、枠面部１３１に対応する形状とされる枠面部１５１と、外周面部１３２の内側面に対応するように設けられた外周面部１５２と、内周面部１３３を上側に延長した位置に対応するように設けられた内周面部１５３と、内周面部１５３内側に水平方向に延在する蓋面部１５４とを有する。
蓋体１５０は、ヒンジ１４０を回動軸線として、枠体１３０およびこの枠体１３０と一体に掛合接続された容器本体１２０に対して回動可能に接続されている。
【０１４３】
枠面部１５１は、蓋体１５０の閉塞状態において、略水平状態に開口縁部位置を略周回するとともに、その外周端には外周面部１５２が下方に向けて接続され、かつ、その内周端には内周面部１５３が下方に向けて接続される。
枠面部１５１および外周面部１５２、内周面部１５３の外周端は、滑らかな断面凸状として蓋面部１５４の外周に立設される。
【０１４４】
外周面部１５２は、蓋体５０の閉塞状態において、外周面部１３２と略平行状態として外周面部１３２の内側に外周面部１５２の下端側が当接するように周設される。外周面部１５２の下端は、蓋体５０の閉塞状態において、外周面部１３２と略平行状態として枠面部１３１の上面に当接するように下側に突出するように周設される。枠面部１５１と外周面部１５２と内周面部１５３とは、蓋面部１５４の外周縁部に周設される突条１５１Ａを形成している。突条１５１Ａの上側面は、滑らかな曲面となるように形成されている。
外周面部１５２の下端には、ヒンジ１４０が接続されている。
【０１４５】
蓋面部１５４は、図２５〜図３６に示すように、蓋体１５０の閉塞状態において、底面１２１、フランジ１２６、枠面部１５１、および、枠面部１３１とほぼ並行となり、容器本体１２０の開口となる枠体１３０の開口の全域を覆って閉塞する。蓋面部１５４および内周面部１５３は、平面視して底面１２１と略同じ輪郭形状となるように設定されている。これにより、蓋面部１５４および内周面部１５３で形成される凹部に、容器本体１２０の底面１２１側を挿入することで、この凹部によって容器本体１２０の底面１２１側の位置規制をおこなうことができ、蓋付容器１００を多数積載しても安定した状態を維持することが可能となる。
【０１４６】
蓋面部５４は、図２５〜図３６に示すように、内周面部１５３により、枠面部１５１と平行で、かつ、枠面部１３１よりも上側に位置するように外周面部１５２および内周面部１５３の高さ寸法が設定されている。蓋面部５４が、外周面部１３２の上端１３２ａよりも上側に位置するように外周面部１３２の高さ寸法が設定されている。
【０１４７】
枠面部１５１と内周面部１５３との接続部分、つまり、突条１５１Ａの上面内周位置には、段差１５１ａが周設されている。段差１５１ａは、内周面部１３３の下端と対応する平面位置・平面形状として周設されている。この段差１５１ａに、内周面部１３３の下端を位置することで、ヒンジ１４０から折り畳んだ状態の枠体１３０および蓋体１５０を、図３６に示すように、複数安定して積載することができる。
【０１４８】
枠面部１５１の前側となる突条１５１Ａは、ヒンジ１４０に接続される後側よりも前後幅寸法が大きくなるように設定されている。
【０１４９】
蓋体１５０に周設された突条１５１Ａは、図２４〜図３６に示すように、容器本体１２０の開口のうち前面１２２側となる一辺に対応する中央部分において島状となるように形成されている。前側となる突条１５１Ａの左右位置には、切欠部１５５および切欠部１５５を形成する状態として、突条１５１Ａを分断するように、傾斜面１５５ｆと壁面１５５ｇとがそれぞれ設けられている。これら切欠部１５５は、蓋付容器１００の中心に対して左右対称として形成され、また、左右の切欠部１５５と切欠部１５５との左右方向の間隔は、ヒンジ１４０の最外側位置よりも小さく設定されている。
【０１５０】
壁面１５５ｇ，１５５ｇは、突条１５１Ａにおいて、枠面部１５１と外周面部１５２と内周面部１５３とを前後方向に接続するようにそれぞれ設けられる。壁面１５５ｇは、蓋付容器１００の前後方向かつ鉛直方向に延在する。
【０１５１】
傾斜面１５５ｆ，１５５ｆは、突条１５１Ａにおいて、枠面部１５１と外周面部１５２と内周面部１５３とを前後方向に接続するようにそれぞれ設けられる。傾斜面１５５ｆは、蓋付容器１００の前後方向よりも前端側が外側位置となるよう傾斜するとともに、鉛直方向よりも上端側が外側位置となるように傾斜して延在している。これにより、切欠１５５は、蓋体１５０の中心位置より前側および上側に向かってその幅寸法が大きくなるように形成されている。
【０１５２】
切欠部１５５に対応する部分では、枠面部１５１と外周面部１５２と内周面部１５３とが、それぞれ左右に分離されている。
傾斜面１５５ｆと壁面１５５ｇとで挟まれた部分となる切欠部１５５に対応する位置においては、枠面部１５１と外周面部１５２とが、連続していない。
【０１５３】
また、切欠部１５５に対応する位置においては、切欠内面部１５５ａが内周面部１５３に対応する位置に設けられ、切欠内面部１５５ａが傾斜面１５１ｆと壁面１５５ｇとに接続されている。切欠内面部１５５ａは、周方向では内周面部１５３に接続されるとともに、内周面部１５３よりも多少外側位置となるように設けられている。
【０１５４】
切欠内側面部１５５ａと傾斜面１５１ｆと壁面１５５ｇとの下端は、外周面部１５２の下端と面一になるように設定されており、蓋体１５０を閉状態とした際に、枠面部１３１と全周で接触して、蓋付容器１００を閉塞可能とされている。
突条１５１Ａの内側には、切欠部１５５と切欠部１５５とに挟まれた中央位置に、枠面部１５１と外周面部１５２と内周面部１５３とを接続するリブ１５５ｈが、壁面１５５ｇと平行に設けられ、幅寸法が大きく設定された突条１５１Ａの強度を確保している。また、リブ１５５ｈは、左右位置となる突条１５１Ａの内側に設けることもできる。
【０１５５】
枠面部１３１は、図２５〜図３６に示すように、その下側面（裏面）１３１ａの幅方向外側の部分がフランジ１２６の上面と全周で接触するように位置され、フランジ１２６が、枠面部１３１と外周面部１３２と内周面部１３３とに囲まれた空間内で固定されるように、後述する接続部により接続されている。なお、幅寸法の広い前側枠１３１ｄにおいては、その下側面（裏面）１３１ａ後側、つまり、枠面部１３１の中心側にリブ１３１ｆが設けられて、フランジ１２６の上面を外周面部１３２側に固定するようになっている。
【０１５６】
外周面部１３２は、図２４〜図３６に示すように、ヒンジ１４０のない枠面部１３１の外周において、略同一の高さ寸法（幅寸法）としてその全周に設けられている。つまり、外周面部１３２の上端３２ａは、前面１２１と右側面１２４と左側面１２５とに対応するその前側および左右側において、面一となるようにほぼ均一な高さに形成されている。また、外周面部１３２の上端３２ａも、図２４〜図３２に示すように、ヒンジ４０を避けるように、後面１２３側においては枠面部１３１と同じ高さとして配置されている。
【０１５７】
外周面部１３２は、枠面部１３１の上面１３１ｂから上方に突出するように立設されており、外周面部１３２の上端３２ａは、図２４〜図３６に示すように、蓋体１５０の閉塞状態において、側面視して蓋体１５０の突条１５１Ａに隠れるように、その全周で枠面部１５１の高さよりも低くなる状態とされている。また、外周面部１３２の上端３２ａは、図３６に示すように、蓋体１５０の閉塞状態において、側面視して蓋体１５０の蓋面部１５４の高さよりも低くなる状態とされている。
【０１５８】
また、外周面部１３２は、蓋体１５０の閉塞状態において、外周面部１５２の下端が内側に近接した状態とされている。これにより、外周面部１５２の下端が、その全周において、外周面部１３２基端部分と枠面部１３１との境界に近接するように配置されており、枠体１３０と蓋体１５０との合わせ目に手指がかからないようになる。したがって、後述するように、係止部１６０，１７０の操作以外では、蓋付容器１００の開放が通常はできないようになっている。同時に、蓋付容器１００を落下させた場合など、枠体１３０または蓋体１５０に衝撃が加えられて、捻れるように変形力が作用した場合でも、係止部１６０，１７０の操作以外での開放ができないようになっている。
【０１５９】
外周面部１３２の下端１３２ｂには、上述した第１実施形態におけるスタック部３４と同様に、水平方向のフランジ３４ａを介して、さらに外側かつ下側に延在するようスタック部が周設されることもできる。
【０１６０】
外周面部１３２は、図２５〜図３６に示すように、フランジ２６と当接する下側面１３１ａにおいて枠面部１３１の幅方向外側となる位置から下向きに突出するように周設されており、上述した第１実施形態における接続突条３５と同様に、掛合部となるようにされている。
【０１６１】
外周面部１３２は、上述した第１実施形態における接続突条３５と同様に、図２５〜図２６に示すように、枠体１３０と容器本体１２０とが接続された場合に、フランジ１２６の外周端面１２６ａと接触する位置になるように枠面部１３１の幅方向位置が設定されている。
外周面部１３２には、枠面部１３１の下側面１３１ａよりも下側で、かつ、フランジ１２６の厚み寸法に対応する距離だけ下側面１３１ａから離間した位置に、フランジ１２６を固定する掛合凸部１３５ａが設けられる。掛合凸部１３５ａは、フランジ１２６の下面に当接するように外周面部１３２の内側に突出して形成されている。
これら外周面部１３２および掛合凸部１３５ａは、掛合部を構成している。
【０１６２】
掛合凸部１３５ａは、図２５〜図２６に示すように、外周面部１３２の全周に亘ってその周方向に離間して複数設けられる。掛合凸部１３５ａは、フランジ１２６を固定するように、容器本体１２０の開口の各辺に対応してそれぞれの端部位置に設けられるとともに、前面１２２および後面１２３に対応する長辺においてはその中間側にも追加して設けることが好ましい。本実施形態では、掛合部が、枠面部（枠体）１３１の開口面における幅方向の略外側位置に設けられる。
【０１６３】
具体的には、前後位置となる長辺に４カ所の掛合凸部１３５ａを設け、左右側面１２４，１２５に対応する辺ではそれぞれ２カ所の掛合凸部１３５ａを設けることができる。これにより、チャイルドプルーフを呈するための枠体１３０およびフランジ１２６部分における変形耐性を維持して、不用意に枠体１３０がフランジ１２６から外れることがないように、枠体１３０および容器本体１２０の剛性を保持することができる。
【０１６４】
掛合凸部１３５ａは、図２５〜図２６に示すように、平面視して、フランジ１２６の外周端面１２６ａの位置から、容器本体１２０あるいは枠体１３０における開口中心側に向けて外周面部１３２から突出する方向が設定されている。
【０１６５】
これにより、掛合凸部１３５ａの突出方向、つまり、フランジ１２６に対する掛合方向が、略矩形のフランジ１２６各辺において、いずれも内側（開口中心側）を向くように設定されるので、フランジ１２６を枠体１３０から外すためにはフランジ１２６の輪郭を縮小するように変形させることになるため、このような変形力が作用した際には、開口の対向する辺側にある外周面部１３２およびリブ１３１ｆによってフランジ１２６の変形が防止されるために、掛合凸部１３５ａのフランジ１２６に対する掛合を確実に維持し、枠体１３０と容器本体１２０との掛合を保持して、これらが外れてしまうような予期せぬ開放発生を防止することができる。
【０１６６】
掛合凸部１３５ａにより、図２５〜図２６に示すように、枠面部１３１と外周面部１３２と内周面部１３３とに囲まれた空間内でフランジ１２６を固定する。外周面部１３２および掛合凸部１３５ａは、接続部として、枠体１３０が、容器本体１２０の開口面に延在するフランジ１２６に対して、このフランジ１２６を覆うように接続され、かつ、前側位置において、フランジ１２６内側縁部がリブ１３１ｆにより固定される。これにより、枠体１３０の外形輪郭に対して、容器本体１２０の開口を最も大きくして、収容可能な容積を最大化することができる。
【０１６７】
また、枠面部１３１には、図２５〜図２６に示すように、平面視して掛合凸部１３５ａに対応する位置に、枠体１３０および蓋体１５０の樹脂成形時における利便性を鑑みて、貫通孔１３１ｃが設けられる。これにより、枠体１３０および蓋体１５０の樹脂成形時に、外周面部１３２と一体として掛合凸部１３５ａを成形することができる。
【０１６８】
係止部１６０，１７０は、蓋体１５０と枠体１３０とを係止・解除可能とするもので、図２４〜図３５に示すように、蓋体１５０と枠体１３０との前面１２２側に２つ設けられる。係止部１６０および係止部１７０は、蓋体１５０の切欠１５５の両内側位置にそれぞれ設けられ、蓋付容器１００の中心線に対してほぼ対称形状に形成されている。
【０１６９】
係止部１６０，１７０の配置間隔は、図２４に示すように、第１および第２実施形態と同様、チャイルドプルーフとなる所定の距離ｄだけ離間するように設けられる。
この距離ｄは、大人の手の大きさでは開閉操作が可能であるが、子ども、とくに幼児の手の大きさでは開閉操作ができないようにしたもので、具体的には、図２４に示すように、８０ｍｍ〜１３０ｍｍの範囲、より好ましくは、１００ｍｍ〜１２０ｍｍの範囲に設定される。
なお、チャイルドプルーフには、身体的な要素（サイズ）、力、構造理解力を考慮して工夫された包材などといった定義がある。
【０１７０】
係止部１６０、１７０としては、図２４〜図３５に示すように、蓋体１５０側として、壁面１５５ｇ，１５５ｇ下端の両外端位置に水平方向に延在して左右方向に突出するリブ１５６，１５７と、これらのリブ１５６，１５７との左右方向端部から上方に延在する係止片１６１，１７１が設けられる。
【０１７１】
また、係止部１６０、１７０としては、図２４〜図２６，図３０〜図３２に示すように、枠体１３０側として、前面１２２に対応する外周面部１３２で切欠１５５両外側に対応する位置に、係止片１６１，１７１と接触するように設定され、外周面部１３２の幅方向寸法が太くなるように設けられた凸部１３６，１３７と、これらの凸部１３６，１３７の左右方向内側面で、係止片１６１，１７１に対向するとともに、係止片１６１，１７１に近接する外側位置として枠面部１３１上面１３１ｂから上方に延在する係止面１６２，１７２が設けられる。
【０１７２】
凸部１３６，１３７は、その上面が外周面部１３２の上端１３２ａと面一になるように設けられている。また、凸部１３６，１３７は、蓋体１５０の閉塞状態において、平面視して切欠１５５内部に収まるとともに、この切欠１５５内部でリブ１５６，１５７および係止片１６１，１７１以外の部分を覆うように形成されている。この凸部１３６，１３７により、外周面部１３２の上端１３２ａから蓋面部１５４まで切欠１５５が充填された状態に対応する。凸部１３６，１３７の開口側となる開口側面１３６ｇ，１３７ｇは、内周面部１３３と略平行に設けられ、その下端は、枠面部１３１に固定されている。
【０１７３】
係止部１６０において、係止片１６１は、ヒンジ１４０としての蓋体１５０の回動軸線と直交する方向である前後方向かつ上下方向を通る面内に延在するように設けられるとともに、その左右方向外側で、係止面１６２と対向する面の下端部付近に、左右方向外側に突出する係止凸部１６３が設けられる。また、係止面１６２には、蓋体１５０の閉塞状態において係止凸部１６３に対応する位置に左右方向に貫通する貫通孔として係止凹部１６４が設けられている。
係止面１６２は、壁面１５５ｇと平行状態として設けられており、凸部１３６の左右方向外側となる外側面１３６ｆは、傾斜面１５５ｆと平行状態として設けられている。
【０１７４】
係止凹部１６４は矩形形状の貫通孔とされており、係止凹部１６４の上端部には、図３３に示すように、係止凸部１６４ａが設けられており、係止凹部１６４の下側左右端部には、凸部１６４ｂ，１６４ｃが設けられている。これら係止凸部１６４ａ、凸部１６４ｂ，１６４ｃは、係止面１６２から切欠１５５における対向面である傾斜面１５５ｆに近接するように突出して設けられている。
【０１７５】
凸部１６４ｂ，１６４ｃは、その前後方向の間隔が係止片１６１基端側の前後方向寸法よりも小さく設定されている。凸部１６４ｂ，１６４ｃの高さ寸法は、位置規制凸部１６５よりも低くなるよう設定されている。係止凸部１６４ａは、係止凸部１６３の係止凹部１６４への係止を確実にするとともに、係止片１６１上端の左右方向への操作性を向上するためのものである。凸部１６４ｂ，１６４ｃは、係止片１６１の基部側となるリブ１５６付近の係止状態を確実にするとともに、リブ１５６および係止片１６１が左右方向に移動して係止部１６０の係止が不用意に解除されてしまうことを防止するものである。
【０１７６】
さらに、係止部１６０として、図２４〜図３４に示すように、枠体１３０には、蓋体１５０の閉状態において、係止片１６１の基部となる壁面１５５ｇにおけるリブ１５６と反対面に、壁面１５５ｇがリブ１５６と反対側に移動することを規制する位置規制凸部１６５が上方に向けて突出されている。
位置規制凸部１６５は、係止面１６２に対して、左右方向にリブ１５６の長さ寸法に等しい距離だけ離間して設けられるとともに、係止面１６２に対して、係止凹部１６４の前後方向両端位置に対応して２箇所設けられている。位置規制凸部１６５の高さ寸法は、係止凹部１６４の上端位置とほぼ等しいかやや下側となるように設定され、係止凸部１６３が係止凹部１６４との係合可能で、かつ、不用意に係合解除されてしまわないように左右方向の凸寸法が設定される。
【０１７７】
リブ１５６と壁面１５５ｇの下端部分とは、図２４〜図２６，図２８〜図３４に示すように、リブ１５６と直交する方向に延在するリブ１５６ａによって接続されている。リブ１５６ａは、壁面１５５ｇ側から係止片１６１側に向けてその高さ寸法が小さくなるように、かつ、係止片１６１側においては高さ寸法がゼロになるように、正面視して三角形状としてリブ１５６の上面の両側位置に設けられている。
【０１７８】
リブ１５６ａによって、リブ１５６が係止片１６１の変形に追従せず剛性を維持することが可能となり、係止片１６１がリブ１５６との接続位置をあたかもヒンジのようにして回動することが可能となる。この作用と位置規制凸部１６５による壁面１５５ｇが位置規制されることにより、後述するように、係止凹部１６４に対する係止凸部１６３の係止およびその解除を確実におこなうことが可能となる。
【０１７９】
係止部１６０において、図２４〜図３６に示すように、係止片１６１は、少なくともその上側は壁面１５５ｇに対しては接続されておらず、リブ１５６に固定された下端側に対して、その厚さ方向であるヒンジ１４０としての蓋体１５０の回動軸線の延在する方向に弾性変形可能な状態として立設されている。また、係止面１６２は、枠体部１３１上面と外周面部１３２と凸部１３６上面と開口側面１３６ｇとでその４方向が接続固定されるように立設されている。
係止片１６１には、その上端部および側端部の縁部において連続する突条１６１ａが、係止凸部１６３と同方向に突出するように周設されている。
【０１８０】
係止片１６１は、切欠１５５または突条１５１Ａの高さ方向寸法とほぼ等しい高さ寸法とされており、リブ１５６に固定された下端以外は壁面１５５ｇと接続されていないことができる。また、係止面１６２の高さ寸法は、係止片１６１の高さ寸法の半分以下とするとともに、係止面１６２の上端は、外周面部１３２の上端１３２ａと面一とされていることが好ましい。
【０１８１】
蓋体１５０の閉塞状態において、切欠１５５内で左右方向視して係止面１６２で隠されていない係止片１６１の部分は、係止・解除動作をする際において、操作者が指をかけて操作する部分となる。このため、蓋体１５０の閉塞状態において、切欠１５５内部で右側面１２５側から側面視した際における、この係止面１６２で隠されていない係止片１６１の高さ寸法は、大人の指の大きさおよび動作に充分な弾性変形を係止片１６１に対して発生させることができる作用力を作用させるための面積を有するように設定されることが好ましい。
【０１８２】
係止部１７０において、係止片１７１は、図２４〜図２６，図２８〜図３６に示すように、係止片１６１に対応した構成とされており、ヒンジ１４０としての蓋体１５０の回動軸線と直交する方向である前後方向かつ上下方向を通る面内に延在するように設けられるとともに、その左右方向外側で、係止面１７２と対向する面の下端部付近に、左右方向外側に突出する係止凸部１７３が係止凸部１６３に対応した構成として設けられる。また、係止面１７２には、蓋体１５０の閉塞状態において係止凸部１７３に対応する位置に左右方向に貫通する貫通孔として係止凹部１７４が係止凹部１６４に対応した構成として設けられている。
係止面１７２は、係止面１６２に対応した構成として、壁面１５５ｇと平行状態として設けられており、凸部１３７の左右方向外側となる外側面１３７ｆは、傾斜面１５５ｆ平行状態として設けられている。
【０１８３】
係止凹部１７４は矩形形状の貫通孔とされており、係止凹部１７４の上端部には、図３３に示す係止凸部１６４ａに対応した構成として、係止凸部１７４ａが設けられており、係止凹部１７４の下側左右端部には、凸部１６４ｂ，１６４ｃに対応した構成として、凸部１７４ｂ，１７４ｃが設けられている。これら係止凸部１７４ａ、凸部１７４ｂ，１７４ｃは、係止面１７２から切欠１５５における対向面である傾斜面１５５ｆに近接するように突出して設けられている。
【０１８４】
凸部１７４ｂ，１７４ｃは、その前後方向の間隔が係止片１７１基端側の前後方向寸法よりも小さく設定されている。凸部１７４ｂ，１７４ｃの高さ寸法は、位置規制凸部１６６よりも低くなるよう設定されている。係止凸部１７４ａは、係止凸部１７３の係止凹部１７４への係止を確実にするとともに、係止片１７１上端の左右方向への操作性を向上するためのものである。凸部１７４ｂ，１７４ｃは、係止片１７１の基部側となるリブ１５７付近の係止状態を確実にするとともに、リブ１５７および係止片１７１が左右方向に移動して係止部１７０の係止が不用意に解除されてしまうことを防止するものである。
【０１８５】
さらに、係止部１７０として、図２４〜図２６，図２８〜図３６に示すように、枠体１３０には、蓋体１５０の閉状態において、係止片１７１の基部となる壁面１５５ｇにおけるリブ１５７と反対面に、壁面１５５ｇが水平方向にリブ１５７と反対側に移動することを規制する位置規制凸部１６６が上方に向けて突出されている。
位置規制凸部１６６は、位置規制凸部１６５に対応した構成として、係止面１７２と左右方向にリブ１５７の長さ寸法に等しい距離だけ離間して設けられるとともに、位置規制凸部１６５に対応した構成として、係止面１７２に対して、係止凹部１７４の水平方向両端位置に対応して２箇所設けられている。位置規制凸部１６６の高さ寸法は、係止凹部１７４の上端位置とほぼ等しいかやや下側となるように設定され、係止凸部１７３が係止凹部１７４との係合可能でかつ、不用意に係合解除されてしまわないように設定される。
【０１８６】
リブ１５７と壁面１５５ｇの下端部分とは、図２４〜図２６，図２８〜図３６に示すように、リブ１５７と直交する方向に延在するリブ１５７ａによって接続されている。リブ１５７ａは、壁面１５５ｇ側から係止片１７１側に向けてその高さ寸法が小さくなるように、かつ、係止片１７１側においては高さ寸法がゼロになるように、正面視して三角形状としてリブ１５７の上面の両側位置に設けられている。
【０１８７】
リブ１５７ａによって、リブ１５７が係止片１７１の変形に追従せず剛性を維持することが可能となり、係止片１７１がリブ１５７との接続位置をあたかもヒンジのようにして回動することが可能となる。この作用と位置規制凸部１６６による壁面１５５ｇが位置規制されることにより、後述するように、係止凹部１７４に対する係止凸部１７３の係止およびその解除を確実におこなうことが可能となる。
【０１８８】
係止部１７０において、図２４〜図３６に示すように、係止片１７１は、少なくともその上側は壁面１５５ｇに対しては接続されておらず、リブ１５７に固定された下端側に対して、その厚さ方向であるヒンジ１４０としての蓋体１５０の回動軸線の延在する方向に弾性変形可能な状態として立設されている。また、係止面１７２は、枠体部１３１上面と外周面部１３２と凸部１３７上面と開口側面１３７ｇとでその４方向が接続固定されるように立設されている。
係止片１７１には、その上端部および側端部の縁部において連続する突条１７１ａが、突条１６１ａに対応した構成として、係止凸部１７３と同方向に突出するように周設されている。
【０１８９】
係止片１７１は、切欠１５５または突条１５１Ａの高さ方向寸法とほぼ等しい高さ寸法とされており、リブ１５７に固定された下端以外は壁面１５５ｇと接続されていないことができる。また、係止面１７２の高さ寸法は、係止片１７１の高さ寸法の半分以下とするとともに、係止面１７２の上端は、外周面部１３２の上端１３２ａと面一とされていることが好ましい。
【０１９０】
蓋体１５０の閉塞状態において、切欠１５５内で左右方向視して係止面１７２で隠されていない係止片１７１の部分は、係止・解除動作をする際において、操作者が指をかけて操作する部分となる。このため、蓋体１５０の閉塞状態において、切欠１５５内部で左側面１２４側から側面視した際における、この係止面１７２で隠されていない係止片１７１の高さ寸法は、大人の指の大きさおよび動作に充分な弾性変形を係止片１６１に対して発生させることができる作用力を作用させるための面積を有するように設定されることが好ましい。
【０１９１】
係止部１６０，１７０においては、左右に離間した切欠１５５，１５５内に位置するそれぞれの係止部１６０における係止片１６１と、係止部１７０における係止片１７１とを、蓋体１５０の閉塞状態において互いに接近する方向、つまり、左右方向内側へ弾性変形させることによって、これら係止凸部１６３と係止凸部１７３とが、係止されていた係止凹部１６４と係止凹部１７４とからそれぞれ外れることによって係止部１６０、１７０の係止解除が可能となる。
ここで、係止凸部１６３が係止凹部１６４から外れる係止片１６１の弾性変形と、係止凸部１７３が係止凹部１７４から外れる係止片１７１の弾性変形とが、同時に発生するように動作されないと、係止部１６０、１７０の係止は解除されず、蓋体１５０を開閉することはできないように構成されている。
【０１９２】
また、係止部１６０，１７０においては、これら係止片６１と係止片７１との前方向および後方向には、切欠１５５が形成されているため、操作者の手指に当接する構成が設けられていない。したがって、係止片１６１と係止片１７１とを操作する際に、操作者の手指の先端が蓋付容器１００の他の部分に当接することがない。
【０１９３】
さらに、傾斜面１５５ｆ，１５５ｆがいずれも傾斜して形成されていることにより、切欠１５５の幅寸法が後側から前側に向けて拡大した状態となっているとともに、切欠１５５の幅寸法が下側から上側に向けて拡大した状態となっている。このため、特に、爪が長い操作者であっても、好適に開閉操作をおこなうことが可能となる。これは、トイレタリー製品を収納する場合には、特に好適な操作特性として重要である。
【０１９４】
蓋体１５０の開閉時においては、図３０において矢印Pで示すように、係止部１６０および係止部１７０に対して左右方向内側へ向かう変形力を同時に作用させる。このとき、係止部１６０では係止がおこなわれても係止部１７０では係止がおこなわれていない、あるいは、係止部１７０では係止がおこなわれても係止部１６０では係止がおこなわれていない、という片掛かりが起きる可能性がある。
【０１９５】
この片掛かりを防止するために、図３０〜図３２に示すように、係止凹部１６４の上下方向における寸法を大きくするとともに、係止凹部１７４の上下方向における寸法を大きくすることができる。この場合、係止凸部１６３と係止凸部１７３との高さ位置が傾いた状態で閉塞動作がおこなわれた場合でも、係止凸部１６３と係止凸部１７３とにおける枠面部１３１側への移動可能量を大きくして、どちらか一方が確実に係止するまで、係止凹部１６４および係止凹部１７４の内部で、係止凸部１６３と係止凸部１７３とが移動可能とすることができる。
【０１９６】
また、外周面部１３２の下端１３２ｂが枠面部１３１の上面１３１ｂに当接することで、係止凸部１６３と係止凸部１７３とを、係止凹部１６４と係止凹部１７４とに確実に係止させることが可能となる。
【０１９７】
ここで、係止凸部１６３と係止凸部１７３とが、係止凹部１６４と係止凹部１７４との係止状態であれば、外周面部１３２によって突条１５１Ａ下側周囲を覆っているので、蓋体１５０の周囲が外周面部１３２の上端１３２ａからはみ出すことがない。このため、蓋体１５０に手指が掛かり開放する作用力をかけられてしまう可能性がない。
【０１９８】
同時に、たとえ、一方の係止部１６０において、係止凸部１７３が係止凹部１７４から外れてしまった場合でも、位置規制凸部１６５，１６６により、蓋体１５０が左右方向に変形することが規制される。これにより、係止凸部１６３が係止凹部１６４から外れてしまうことが防止されて、たとえ、片掛かりの状態であっても、蓋体１５０が不用意に開放してしまうことが防止可能となる。
【０１９９】
以下、本実施形態の蓋付容器１００の開閉動作について説明する。
【０２００】
まず、本実施形態における蓋付容器１００は、蓋体１５０が開口を閉塞している閉状態においては、図３０に示すように、突条１５１Ａが外周面部３２に重なるようになっている。このとき、係止片１６１と係止面１６２とが対向位置で最近接するように状態となっている。
【０２０１】
また、蓋体１５０に周設された突条１５１Ａが、図３０に示すように、枠面部１３１の上面１３１ｂに当接しており、突条１５１Ａの周囲が外周面部１３２の上端１３２ａに隠蔽されて蓋体５０の周囲端に手指がかからないように保護されている。したがって、蓋体１５０の端部は、突条１５１Ａ前面部５５の上端のみが、手指のかかる位置にあることになるが、突条１５１Ａの上側は曲面として形成されているため、この状態で、蓋体１５０を開状態へとすることはできない。
【０２０２】
本実施形態における蓋付容器１００は、蓋体１５０が開口を閉塞している閉状態においては、図３０に示すように、係止部１６０において、係止片１６１は、切欠１５５内部で左右方向外側に位置する係止面１６２と対向するように接近する状態となっており、係止凸部１６３が係止凸部１６４ａに係止された状態とされている。同時に、係止部１７０において、係止片１７１は、切欠１５５内部で左右方向外側に位置する係止面１７２と対向するように接近する状態となっており、係止凸部１７３が係止凸部１７４ａに係止された状状態とされている。
【０２０３】
この状態から、蓋体１５０を開動作させるには、蓋体１５０をヒンジ１４０周りに回動させる必要があるが、切欠１５５内部において、係止凸部１６３が係止凸部１６４ａに係止されているとともに、係止凸部１７３が係止凸部１７４ａに係止されているため、蓋体１５０を枠体１３０に対して上方に移動するように力を作用させることができず、蓋体１５０と枠体１３０との位置関係は変化せず、蓋付容器１００を開放することはできない。
【０２０４】
また、係止片１６１の基部側のリブ１５６の左右方向両端位置が凸部１６４ｂ，１６４ｃおよび位置規制凸部１６５に当接してこれらに挟まれているとともに、係止片１７１の基部側のリブ１５７の左右方向両端位置が凸部１７４ｂ，１７４ｃおよび位置規制凸部１６６に当接してこれらに挟まれていることで、係止部１６０，１７０が外れてしまうことを防止している。同時に、係止部１６０または係止部１７０のいずれかが係止解除された場合でも、他方の係止状態を維持して、高いチャイルドプルーフ性能を示すことができる。      
【０２０５】
同時に、これら係止凸部１６３、係止凸部１６４ａ、係止凸部１７３、係止凸部１７４ａがいずれも切欠１５５において外周面部１３２の上端１３２ａよりも下側位置とされているとともに、位置規制凸部１６５、位置規制凸部１６６が突条１５１Ａで覆われているため、係止部１６０，１７０が落下等の衝撃でも容易に外れない状態を維持することができる。
【０２０６】
次いで、係止解除工程として、図３０において矢印Pで示すように、係止片１６１の上端と係止片１７１の上端とに、操作者の手指等を当接させて、左右方向で離間した係止部１６０、１７０において、それぞれの係止部１６０における係止片１６１と、係止部１７０における係止片１７１とを、互いに接近する方向、つまり、左右方向内側へ向かう変形力をたとえば圧縮力として同時に作用させる。
この係止片１６１と係止片１７１との上端に作用した左右方向内側へ向かう変形力によって、係止片１６１がリブ１５６側の下端から左右方向内側へ弾性変形するとともに、係止片１７１がリブ１５７側の下端から左右方向内側へ弾性変形する。
【０２０７】
この係止片１６１と係止片１７１とにおけるヒンジ１４０としての蓋体１５０の回動軸線の延在する方向である左右方向への変形に追従して、係止凸部１６３が係止されていた係止凸部１６４ａ下側から引き出されて、係止凸部１６４ａによる係止凸部１６３の係止が解除される。同時に、係止凸部１７３が係止されていた係止凸部１７４ａ下側から引き出されて、係止凸部１７４ａによる係止凸部１７３の係止が解除される。
これにより、係止片１６１が係止片１６２に対して外周面部１３２に邪魔されない上側に移動することが可能となるとともに、係止片１７１が係止片１７２に対して外周面部１３２に邪魔されない上側に移動することが可能となる。
【０２０８】
係止部１６０と係止部１７０との係止を同時に解除した状態で、蓋体１５０の前側を上方に移動させる方向に開放力を作用させることにより、蓋体１５０がヒンジ１４０周りに回動することが可能となる。
【０２０９】
この蓋体１５０のヒンジ１４０周りの回動により、図３１，図３２に示すように、突条１５１Ａが、枠面部１３１上面１３１ｂとの当接を解除し、次いで、突条１５１Ａが、外周面部１３２の上端１３２ａよりも上側に移動して、枠体１３０が露出するとともに、蓋付容器１００における開口が開放される。
【０２１０】
さらに、蓋体１５０を回動させて、図２５〜図２６に示すように、開放状態とする。
【０２１１】
本実施形態における蓋付容器１００は、チャイルドプルーフとなる所定の距離ｄだけ離間する係止部１６０，１７０が設けられ、この係止部１６０，１７０によって蓋体１５０の開閉をおこなうため、チャイルドプルーフを確実に実現しつつ安価に提供可能で、積載商品展示可能で、輸送時における省空間性、所定の強度を有する蓋付容器を提供可能とすることができる。
【０２１２】
さらに、リブ１５６ａ，１５７ａによって、リブ１５６，１５７が係止片１６１，１７１の変形に追従せず剛性を維持することが可能となり、係止片１６１，１７１がリブ１５６，１５７との接続位置をあたかもヒンジのようにして移動することが可能となるとともに、位置規制凸部１６５，１６６による壁面１５５ｇが位置規制されることにより、蓋体１５０が枠体１３０に対して左右方向に変形してしまうことを防止して、係止凸部１６４ａ，１７４ａに対する係止凸部１６３，１７３の係止およびその解除を確実におこなうことが可能となる。
【０２１３】
これにより、例えば、子どもが無理矢理蓋付容器１００を開けようとした場合でも、係止片１６１，１７１を変形させる以外には、蓋付容器１００を開けることができないようにして、チャイルドプルーフを完全なものとすることができる。同時に、蓋体１５０の変形により、蓋付容器１００が不用意に開いてしまうことも防止することができる。
【符号の説明】
【０２１４】
１０，１０Ａ，１００…蓋付容器
２０，１２０…容器本体
２１，１２１…底面
２２，１２２…前面
２３，１２３…後面
２４，１２４…左側面
２５，１２５…右側面
２６，１２６…フランジ
２６ａ…外周端面
３０，３０Ａ，１３０…枠体
３１，１３１…枠面部
３１ａ，１３１ａ…下側面
３１ｃ，１３１ｃ…貫通孔
３２，１３２…外周面部
３２ａ，１３２ａ…上端
３２ｂ，１３２ｂ…下端
３３，１３３…内周面部
３４…スタック部
３５…接続突条
３５ａ，１３５ａ…掛合凸部
３６，３７…リブ
４０，４０Ａ，４０Ｂ，１４０…ヒンジ
４１，４１Ａ，４１Ｂ，１４１…接続片
５０，５０Ａ，５０Ｂ，１５０…蓋体
５１，５１Ａ，５１Ｂ，１５１…枠面部
５１ｂ…閉塞枠面部
５２…閉塞突条
５２ｂ…閉塞内突条
５３…内周面部
５３ｂ…閉塞内周面部
５４，５４Ａ，５４Ｂ，１５４…蓋面部
５５…前面部
５６，５７…リブ
５６Ａ…後面片
５７Ａ…前面片
５８…下端
５９…スタック部
６０，６０Ａ，７０，７０Ａ，１６０，１７０…係止部
６１，６１Ａ，６２，６２Ａ，７１，７１Ａ，７２，７２Ａ，１６１，１７１…係止片
６３，６３Ａ，７３，７３Ａ，１６３，１７３…係止凸部
６４，６４Ａ，７４，７４Ａ，１６４，１７４…係止凹部
１３６，１３７…凸部
１５１Ａ…突条
１５２…外周面部
１５３…内周面部
１５５…切欠
１５５ｆ…傾斜面
１５５ｇ…壁面
１６４ａ，１７４ａ…係止凸部
１６４ｂ，１６４ｃ，１７４ｂ，１７４ｃ…凸部
１６５，１６６…位置規制凸部
【図１】
0006746950.tif 000002
【図２】
0006746950.tif 000003
【図３】
0006746950.tif 000004
【図４】
0006746950.tif 000005
【図５】
0006746950.tif 000006
【図６】
0006746950.tif 000007
【図７】
0006746950.tif 000008
【図８】
0006746950.tif 000009
【図９】
0006746950.tif 000010
【図１０】
0006746950.tif 000011
【図１１】
0006746950.tif 000012
【図１２】
0006746950.tif 000013
【図１３】
0006746950.tif 000014
【図１４】
0006746950.tif 000015
【図１５】
0006746950.tif 000016
【図１６】
0006746950.tif 000017
【図１７】
0006746950.tif 000018
【図１８】
0006746950.tif 000019
【図１９】
0006746950.tif 000020
【図２０】
0006746950.tif 000021
【図２１】
0006746950.tif 000022
【図２２】
0006746950.tif 000023
【図２３】
0006746950.tif 000024
【図２４】
0006746950.tif 000025
【図２５】
0006746950.tif 000026
【図２６】
0006746950.tif 000027
【図２７】
0006746950.tif 000028
【図２８】
0006746950.tif 000029
【図２９】
0006746950.tif 000030
【図３０】
0006746950.tif 000031
【図３１】
0006746950.tif 000032
【図３２】
0006746950.tif 000033
【図３３】
0006746950.tif 000034
【図３４】
0006746950.tif 000035
【図３５】
0006746950.tif 000036
【図３６】
0006746950.tif 000037